(57)【要約】 【課題】  光源と受光素子とが一体として形成される、光ピックアップ装置の受発光ユニットの位置を調整するときに、光源から発せられる光のうちの最も光強度の大きい光線束を、受光素子で検出する光線束の断面において中心に位置させるように受発光ユニットの位置を調整する、受発光ユニットの位置調整装置、位置調整方法および光ピックアップ装置を提供することである。【解決手段】  受発光ユニット１１の位置調整装置１０は、受発光ユニット１１の相対位置を変化させる変位手段１６と、コリメートレンズ１２を透過した光線束を反射する半透過半反射ミラー１８と、受光素子１３からの信号に基づいて変位手段１６を制御する制御手段１７とを含む。また通過領域２９を含む絞り手段２７を有し、通過領域２９の形状はコリメートレンズの光軸方向Ｚに見て、コリメートレンズの光軸Ｌ１０を中心に回転対称である。【選択図】      図１
2008176896.tif 000002
【特許請求の範囲】
【請求項１】
光源と、光源から発せられて反射部材で反射された反射光を受光し、かつ受光した光強度に応じて信号を出力する複数の受光素子とを含んで一体に形成され、光ピックアップ装置に備えられる受発光ユニットの位置調整装置であって、
前記光源から発せられる光の少なくとも一部が入射するコリメートレンズに対して、
前記受発光ユニットの相対位置を変化させる変位手段と、
前記コリメートレンズに関して受発光ユニットと反対側に配置され、
かつ平面状の反射面を有し、
前記反射面はコリメートレンズの光軸に対して垂直に配置され、
光源から発せられてコリメートレンズを透過した光線束を前記反射面で反射する反射体と、
前記複数の受光素子からの信号に基づいて前記変位手段を制御する制御手段とを含むことを特徴とする受発光ユニットの位置調整装置。
【請求項２】
前記反射体と前記コリメートレンズとの間に介在する絞り手段であって、
コリメートレンズの光軸方向に見て中央部に、前記光源から発せられてコリメートレンズを透過した光線束の一部が通過できる通過領域が形成され、
コリメートレンズの光軸方向に見て前記通過領域の形状は、コリメートレンズの光軸を中心とした回転対称軸を有する形状であり、
通過領域を除く残余の部分が、前記光源から発せられてコリメートレンズを透過した光線束のうち、通過領域を通過する光を除く残余の光を遮蔽する絞り手段をさらに含むことを特徴とする請求項１記載の受発光ユニットの位置調整装置。
【請求項３】
前記光源から発せられて反射部材で反射され、前記光ピックアップ装置に含まれる開口絞りを通過する光線束の全ては、前記絞り手段の通過領域が前記コリメートレンズに対して相対的に占める空間を通過し、
前記コリメートレンズの光軸に平行な仮想的な光線束のうち、前記コリメートレンズの光軸に関して、前記開口絞りを通過する光線束よりも外方を通る仮想的な光線束の全ては、絞り手段の前記残余の部分によって遮蔽されることを特徴とする請求項２に記載の受発光ユニットの位置調整装置。
【請求項４】
前記光源から発せられて反射部材で反射され、前記光ピックアップ装置に含まれる対物レンズを通過する光線束の全ては、前記絞り手段の通過領域が前記コリメートレンズに対して相対的に占める空間を通過し、
前記コリメートレンズの光軸に平行な仮想的な光線束のうち、前記コリメートレンズの光軸に関して、前記対物レンズを通過する光線束よりも外方を通る仮想的な光線束は、絞り手段の前記残余の部分によって遮蔽されることを特徴とする請求項２に記載の受発光ユニットの位置調整装置。
【請求項５】
前記絞り手段のうち、前記残余の部分の、コリメートレンズに臨む側の表面は、前記コリメートレンズに臨む側の表面に入射した光の一部を散乱光として反射することを特徴とする請求項２〜４のうちのいずれか１つに記載の受発光ユニットの位置調整装置。
【請求項６】
前記絞り手段のうち、前記残余の部分の、コリメートレンズに臨む側の表面は、コリメートレンズの光軸に垂直な仮想平面と角度を成すことを特徴とする請求項２〜５のうちのいずれか１つに記載の受発光ユニットの位置調整装置。
【請求項７】
前記絞り手段のうち、前記残余の部分の、コリメートレンズに臨む側の表面には、受光した光の光強度に応じて信号を出力する複数の受光手段が配設され、前記制御手段は前記複数の受光手段が出力する信号に基づいて前記変位手段を制御することを特徴とする請求項２〜６のうちのいずれか１つに記載の受発光ユニットの位置調整装置。
【請求項８】
前記コリメートレンズは基体に対して固定され、前記基体は、前記絞り手段を位置決めする位置決め部を含むことを特徴とする請求項２〜７のうちのいずれか１つに記載の受発光ユニットの位置調整装置。
【請求項９】
前記反射体に関して受発光ユニットと反対側に配置され、前記コリメートレンズの光軸に対する、前記光源から発せられて前記コリメートレンズを透過した光線束の進行の向きを検出して信号を出力するオートコリメータをさらに有し、
前記反射体は、前記反射面側から入射した光の一部を透過させる反射体であり、
前記制御手段は、前記オートコリメータが出力する信号に基づいて前記変位手段を制御することを特徴とする請求項１〜８のうちのいずれか１つに記載の受発光ユニットの位置調整装置。
【請求項１０】
光源と、光源から発せられて反射部材で反射された反射光を受光し、かつ受光した光強度に応じて信号を出力する複数の受光素子とを含んで一体に形成される受発光ユニットと、
前記光源から発せられる光の少なくとも一部が入射するコリメートレンズとを有し、
前記コリメートレンズに対する前記受発光ユニットの相対位置を、請求項１〜９のうちのいずれか１つに記載の位置調整装置によって変位調整されることを特徴とする光ピックアップ装置。
【請求項１１】
光源と、光源から発せられて反射部材で反射された反射光を受光し、かつ受光した光強度に応じて信号を出力する複数の受光素子とを含んで一体に形成される光ピックアップ装置の受発光ユニットの位置を、
前記光源から発せられる光の少なくとも一部が入射するコリメートレンズに対して調整する、位置調整方法であって、
前記コリメートレンズが固定される基体を、保持する基体保持工程と、
前記光源から前記コリメートレンズに対して光を出射し、コリメートレンズを透過した光を、
前記コリメートレンズに関して受発光ユニットと反対側に配置され、
平面状の反射面を有し、
前記反射面がコリメートレンズの光軸に対して垂直に配置される反射体によって反射し、
反射体で反射された光を前記複数の受光素子で受光し、信号を出力する受発光工程と、
受発光工程において前記複数の受光素子から出力された信号に基づいて、前記受発光ユニットの相対位置を変化させる変位工程とを含むことを特徴とする受発光ユニットの位置調整方法。
【発明の詳細な説明】
【技術分野】
【０００１】
本発明は、受発光ユニットの位置を調整する位置調整装置、位置調整方法および光ピックアップ装置に関する。
【背景技術】
【０００２】
光ピックアップ装置内の光学部品を配設するときには、光学部品の位置を調整した上で配設することが必要である。別体として形成された発光素子と受光素子との位置を調整する方法は知られている（たとえば特許文献１〜３参照）。
【０００３】
また発光素子と受光素子とが一体となった部品の位置調整については、発光素子から発せられた光線束がコリメートレンズ透過後に平行光となるように、コリメートレンズ透過後の光線束をオートコリメータにて検出し、オートコリメータからの出力信号に基づいて発光素子の位置決めを行う手法が知られている。
【０００４】
図１１は、従来技術において、発光素子１と受光素子２とが一体となった部品の位置調整を、オートコリメータ３の出力信号に基づいて発光素子１の位置決めを行うときの、光ピックアップ装置内の部品の一部を切断して、オートコリメータ３とともに示す側面図である。この手法においては、コリメートレンズ透過後の光線束を集光した上で、オートコリメータ内のスクリーン上において、集光された光の到達する点が、コリメートレンズの光軸に一致する光線の到達する点と一致ように調整を行う。この手法では、発光素子と受光素子とが一体となった部品を、コリメートレンズの光軸に垂直な方向に変位させて調整を行う。
【０００５】
【特許文献１】特開２００１−１５５３７８号公報
【特許文献２】特開２００２−２５１０５号公報
【特許文献３】特開２００５−５６４８０号公報
【発明の開示】
【発明が解決しようとする課題】
【０００６】
発光素子と受光素子とが一体となっている部品の位置を調整するときには、発光素子と受光素子とを一体として変位させなければならないので、別体として形成された発光素子と受光素子との位置を調整する方法を用いても、発光素子と受光素子の両方の位置決めを行うことが困難であった。
【０００７】
またコリメートレンズ透過後の光線束をオートコリメータにて検出する手法においては、オートコリメータでは光強度の分布を観測することができないので、発光素子から発せられる光をスクリーン上に集光し、集光される点の位置をスクリーン上で調整することになる。したがって、コリメートレンズ透過後の光を平行光とすることはできるけれども、発光素子から発せられた光の一部がコリメートレンズよりも外方に進む場合、コリメートレンズ透過後の光線束に注目すれば、発光素子から発せられる光のうちの光強度の最も大きい光線が、コリメートレンズ透過後の光線束の中央を通るとは限らない。
【０００８】
したがって、発光素子から発せられる光のうちの光強度の最も大きい光線が、受光素子に入射するべき光線束の断面において中心に位置するとは限らないという問題点がある。光強度の最も大きい光線が、受光素子に入射するべき光線束の断面の中心からずれている場合、仮に受光素子を並進させて、光強度の最も大きい光線を受光素子に入射するべき光線束の中心に位置させれば、図１１に示すように、発光素子の位置も変位し、コリメートレンズ透過後の光線束が平行でなくなる。
【０００９】
本発明の目的は、光源と受光素子とが一体として形成される、光ピックアップ装置の受発光ユニットの位置を調整するときに、光源から発せられる光のうちの最も光強度の大きい光線を、受光素子で検出する光線束の断面において中心に位置させるように受発光ユニットの位置を調整する、受発光ユニットの位置調整装置、位置調整方法および光ピックアップ装置を提供することである。
【課題を解決するための手段】
【００１０】
本発明は、光源と、光源から発せられて反射部材で反射された反射光を受光し、かつ受光した光強度に応じて信号を出力する複数の受光素子とを含んで一体に形成され、光ピックアップ装置に備えられる受発光ユニットの位置調整装置であって、
前記光源から発せられる光の少なくとも一部が入射するコリメートレンズに対して、
前記受発光ユニットの相対位置を変化させる変位手段と、
前記コリメートレンズに関して受発光ユニットと反対側に配置され、
かつ平面状の反射面を有し、
前記反射面はコリメートレンズの光軸に対して垂直に配置され、
光源から発せられてコリメートレンズを透過した光線束を前記反射面で反射する反射体と、
前記複数の受光素子からの信号に基づいて前記変位手段を制御する制御手段とを含むことを特徴とする受発光ユニットの位置調整装置である。
【００１１】
また本発明は、前記反射体と前記コリメートレンズとの間に介在する絞り手段であって、
コリメートレンズの光軸方向に見て中央部に、前記光源から発せられてコリメートレンズを透過した光線束の一部が通過できる通過領域が形成され、
コリメートレンズの光軸方向に見て前記通過領域の形状は、コリメートレンズの光軸を中心とした回転対称軸を有する形状であり、
通過領域を除く残余の部分が、前記光源から発せられてコリメートレンズを透過した光線束のうち、通過領域を通過する光を除く残余の光を遮蔽する絞り手段をさらに含むことを特徴とする。
【００１２】
また本発明は、前記光源から発せられて反射部材で反射され、前記光ピックアップ装置に含まれる開口絞りを通過する光線束の全ては、前記絞り手段の通過領域が前記コリメートレンズに対して相対的に占める空間を通過し、
前記コリメートレンズの光軸に平行な仮想的な光線束のうち、前記コリメートレンズの光軸に関して、前記開口絞りを通過する光線束よりも外方を通る仮想的な光線束の全ては、絞り手段の前記残余の部分によって遮蔽されることを特徴とする。
【００１３】
また本発明は、前記光源から発せられて反射部材で反射され、前記光ピックアップ装置に含まれる対物レンズを通過する光線束の全ては、前記絞り手段の通過領域が前記コリメートレンズに対して相対的に占める空間を通過し、
前記コリメートレンズの光軸に平行な仮想的な光線束のうち、前記コリメートレンズの光軸に関して、前記対物レンズを通過する光線束よりも外方を通る仮想的な光線束は、絞り手段の前記残余の部分によって遮蔽されることを特徴とする。
【００１４】
また本発明は、前記絞り手段のうち、前記残余の部分の、コリメートレンズに臨む側の表面は、前記コリメートレンズに臨む側の表面に入射した光の一部を散乱光として反射することを特徴とする。
【００１５】
また本発明は、前記絞り手段のうち、前記残余の部分の、コリメートレンズに臨む側の表面は、コリメートレンズの光軸に垂直な仮想平面と角度を成すことを特徴とする。
【００１６】
また本発明は、前記絞り手段のうち、前記残余の部分の、コリメートレンズに臨む側の表面には、受光した光の光強度に応じて信号を出力する複数の受光手段が配設され、前記制御手段は前記複数の受光手段が出力する信号に基づいて前記変位手段を制御することを特徴とする。
【００１７】
また本発明は、前記コリメートレンズは基体に対して固定され、前記基体は、前記絞り手段を位置決めする位置決め部を含むことを特徴とする。
【００１８】
また本発明は、前記反射体に関して受発光ユニットと反対側に配置され、前記コリメートレンズの光軸に対する、前記光源から発せられて前記コリメートレンズを透過した光線束の進行の向きを検出して信号を出力するオートコリメータをさらに有し、
前記反射体は、前記反射面側から入射した光の一部を透過させる反射体であり、
前記制御手段は、前記オートコリメータが出力する信号に基づいて前記変位手段を制御することを特徴とする。
【００１９】
また本発明は、光源と、光源から発せられて反射部材で反射された反射光を受光し、かつ受光した光強度に応じて信号を出力する複数の受光素子とを含んで一体に形成される受発光ユニットと、
前記光源から発せられる光の少なくとも一部が入射するコリメートレンズとを有し、
前記コリメートレンズに対する前記受発光ユニットの相対位置を、前記位置調整装置によって変位調整されることを特徴とする光ピックアップ装置である。
【００２０】
また本発明は、光源と、光源から発せられて反射部材で反射された反射光を受光し、かつ受光した光強度に応じて信号を出力する複数の受光素子とを含んで一体に形成される光ピックアップ装置の受発光ユニットの位置を、
前記光源から発せられる光の少なくとも一部が入射するコリメートレンズに対して調整する、位置調整方法であって、
前記コリメートレンズが固定される基体を、保持する基体保持工程と、
前記光源から前記コリメートレンズに対して光を出射し、コリメートレンズを透過した光を、
前記コリメートレンズに関して受発光ユニットと反対側に配置され、
平面状の反射面を有し、
前記反射面がコリメートレンズの光軸に対して垂直に配置される反射体によって反射し、
反射体で反射された光を前記複数の受光素子で受光し、信号を出力する受発光工程と、
受発光工程において前記複数の受光素子から出力された信号に基づいて、前記受発光ユニットの相対位置を変化させる変位工程とを含むことを特徴とする受発光ユニットの位置調整方法である。
【発明の効果】
【００２１】
本発明によれば、受発光ユニットの位置調整装置は、コリメートレンズに対して、受発光ユニットの相対位置を変化させる変位手段と、コリメートレンズを透過した光線束を反射する反射体と、複数の受光素子からの信号に基づいて変位手段を制御する制御手段とを含む。光源から発せられた光は、コリメートレンズを透過し、反射体によって反射され、複数の受光素子に入射する。受光素子は、受光素子に入射した光の光強度に応じて信号を出力する。受光素子からの信号に基づいて制御手段は変位手段を制御する。
【００２２】
これによって、光源から発せられて反射体によって反射された光を、受光素子で検出しながら、受発光ユニットのコリメートレンズに対する位置を調整することができる。受光素子からの出力に基づいて、受発光ユニットの位置を調整することができるので、反射体によって反射された光のうちの受光素子に入射するべき光線束について、光線束の進行方向に垂直な断面における光強度が、断面の中心に関して回転対称な分布となるように、受発光ユニットの位置を調整することができる。したがって光源から発せられる光のうち、光の進行方向に垂直な断面における光強度の最も大きい光線の位置が、複数の受光素子に入射するべき光線束の、光線束の進行方向に垂直な断面の中心と一致するように、受発光ユニットの位置を調整することができる。
【００２３】
また本発明によれば、位置調整装置は絞り手段を有し、絞り手段は通過領域と、通過領域を除く残余の部分とを含み、通過領域の形状はコリメートレンズの光軸方向に見て、コリメートレンズの光軸を中心に回転対称である。光源から発せられてコリメートレンズを透過した光線束は絞り手段の通過領域を通過する。その後反射体によって反射され、再び通過領域を通過し、受光素子に入射する。コリメートレンズを透過した光のうち、通過領域を通過する光を除く残余の光は、反射体に入射する以前に、通過領域を除く絞り手段の残余の部分によって遮蔽される。コリメートレンズを透過した光線束は、コリメートレンズの光軸を中心とした回転対称の形状の通過領域のみを通過する。
【００２４】
これによって、通過領域通過後の光線束の、コリメートレンズの光軸に垂直な断面形状が、コリメートレンズの光軸を中心に回転対称となるように、コリメートレンズ透過後の光線束の一部を通過させ、残余の光を遮蔽することができる。したがって、受光素子に入射する光を、通過領域を通過した光線束に限定することによって、コリメートレンズの光軸を断面の中心とする光線束を受光素子に入射させることが可能となる。したがって、受光素子から出力される信号に基づいて受発光ユニットの位置調整を行うことによって、光源からの光のうち、光強度の最も大きい光線を、コリメートレンズの光軸と一致させ、かつ光強度の最も大きい光線束が、受光素子に入射するべき光線束のうちの中心の光線となるように、受発光ユニットの位置を調整することができる。
【００２５】
また本発明によれば、光ピックアップ装置には開口絞りが含まれ、反射部材で反射されて開口絞りを通過する光線束の全ては、絞り手段の通過領域がコリメートレンズに対して相対的に占める空間を通過する。これによって、受発光ユニットとコリメートレンズと開口絞りとが組立てられ、光源からの発光と、この光の、反射部材による反射とが行われたときに、反射部材によって反射される光について、開口絞りを通る光線束と同じ光線束が、絞り手段を通過する。
【００２６】
また、コリメートレンズの光軸に平行な仮想的な光線束のうち、反射部材で反射されて開口絞りを通過する光線束よりも外方を通る仮想的な光線束の全ては、絞り手段の残余の部分によって遮蔽される。これによって、受発光ユニットとコリメートレンズと開口絞りとが組立てられたときに、開口絞りを通らない光は、絞り手段の残余の部分によって遮蔽される。したがって、絞り手段は、反射部材によって反射される光に対して、開口絞りと同じ絞りの働きを有する。したがって、受光素子に入射する光を、受発光ユニットとコリメートレンズと開口絞りとが組立てられたときに、受光素子に入射する光線束に限定することができる。したがって組み立てられたときと同等の条件で、コリメートレンズに対する受発光ユニットの相対位置を調整することができる。
【００２７】
開口絞りが、対物レンズに相当する場合または対物レンズを固定する固定部材に相当する場合には、対物レンズの光軸がコリメートレンズの光軸に一致するように組立てた状態で、光の進行方向に垂直な断面における光強度の最も大きい光線の位置を、複数の受光素子に入射するべき光線束の、光線束の進行方向に垂直な断面の中心と一致させることができる。したがって、光強度の最も大きい光線の位置を、複数の受光素子に入射するべき光線束の中心に位置させるために、対物レンズをコリメートレンズに対して変位させる必要がない。したがって、対物レンズが複数の受発光ユニットに対応して機能する場合に、受発光ユニットの切替えに応じて対物レンズのコリメートレンズに対する位置を変更する工程を省略することができる。
【００２８】
また本発明によれば、光ピックアップには対物レンズが含まれ、反射部材で反射されて開口絞りを通過する光線束の全ては、絞り手段の通過領域がコリメートレンズに対して相対的に占める空間を通過する。これによって、受発光ユニットとコリメートレンズと対物レンズとが組立てられ、光源からの発光と、この光の、反射部材による反射とが行われたときに、反射部材によって反射される光のうち、対物レンズを通過する光線束が、絞り手段を通過する。対物レンズがコリメートレンズの光軸に対して垂直な方向に変位したとき、対物レンズを通過するべき光線束は全て、絞り手段を通過する。
【００２９】
また、コリメートレンズの光軸に平行な仮想的な光線束のうち、反射部材で反射されて対物レンズを通過する光線束よりも外方を通る仮想的な光線束の全ては、絞り手段の残余の部分によって遮蔽される。これによって、反射部材によって反射される光のうち、対物レンズを通過することのない光は、絞り手段の残余の部分によって遮蔽される。したがって、絞り手段は、反射部材によって反射される光に対して、対物レンズを通過するべき光線束に限定することができる。したがって、受光素子に入射する光を、受発光ユニットとコリメートレンズと対物レンズとが組立てられたときに、受光素子に入射するべき光線束に限定することができる。
【００３０】
したがって組み立てられたときと同等の条件で、コリメートレンズに対する受発光ユニットの相対位置を調整することができる。また絞り手段を含めて、受発光ユニットとコリメートレンズと対物レンズとが組立てられたときに、反射部材によって反射される光のうち対物レンズを通過する光線束を遮蔽することがない。したがって、受発光ユニットの位置調整を行った後、絞り手段を含んで、受発光ユニットとコリメートレンズと対物レンズとを組立てて、光ピックアップ装置を作製することができる。
【００３１】
また本発明によれば、絞り手段の残余の部分の、コリメートレンズに臨む側の表面は、この表面に入射した光を散乱光として反射する。光源から発せられてコリメートレンズを透過する光のうち、絞り手段の残余の部分に入射した光線束の一部は散乱光として反射される。これによって、残余の部分の、コリメートレンズに臨む側の表面に入射する光のうち、入射する光の方向と同じ方向に反射される光の光強度は低減される。したがって反射部材によって反射された光線束のうちの通過領域を通過する光に対して、残余の部分の、コリメートレンズに臨む側の表面に入射して反射される光の進行方向を異ならせることができる。したがって残余の部分の、コリメートレンズに臨む側の表面に入射して反射され、受光素子に入射する光を低減することができる。
【００３２】
また本発明によれば、絞り手段の残余の部分のコリメートレンズに臨む側の表面は、コリメートレンズの光軸に垂直な仮想平面と角度を成す。光源から発せられてコリメートレンズを透過した光のうち、絞り手段の残余の部分に入射する光線束の一部は、絞り手段の残余の部分によって反射され、絞り手段の残余の部分に入射する光線束の残余の光は絞り手段の残余の部分に吸収される。絞り手段の残余の部分で反射された光の、反射後の光路の方向は、入射するときの光路の方向とは異なることになる。これによって、反射部材によって反射された光線束のうちの通過領域を通過する光の方向に対して、残余の部分の、コリメートレンズに臨む側の表面に入射して反射される光の進行方向を、異ならせることができる。したがって残余の部分の、コリメートレンズに臨む側の表面に入射して反射される光が、受光素子に入射することを防ぐことができる。
【００３３】
また本発明によれば、絞り手段の残余の部分の、コリメートレンズに臨む側の表面には、複数の受光手段が配設され、制御手段は複数の受光手段からの信号に基づいて変位手段の制御を行う。光源から発せられてコリメートレンズを透過した光線束の一部は、絞り手段の通過領域を通過し、コリメートレンズを透過した光線束の他の一部は、絞り手段の残余の部分に配設された受光手段に入射する。受光手段は受光した光の光強度に応じて信号を出力する。制御手段は受光手段からの信号に基づいて変位手段を制御する。これによって、絞り手段に入射する光線束の光強度が、絞り手段のコリメートレンズに臨む側の面上において、通過領域の中心点を中心に、回転対称に分布するように受発光ユニットの位置を調整することができる。したがって、光源から発せられる光のうち、光強度の最も大きい光線を、コリメートレンズの光軸に一致させることができる。
【００３４】
また本発明によれば、コリメートレンズが固定される基体は、絞り手段を位置決めする位置決め部を有する。コリメートレンズに対する受発光ユニットの位置を調整するときに、コリメートレンズが固定される基体に、絞り手段を取付ける。絞り手段を、基体に設けられる位置決め部に合わせて取付けることによって、絞り手段は、コリメートレンズに対して位置決めして配置される。これによって、コリメートレンズの光軸方向に見たときの通過領域の中心を、コリメートレンズの光軸上に位置させ、かつ絞り手段の絞りとしての光軸を、コリメートレンズの光軸に一致させることができる。
【００３５】
また本発明によれば、受発光ユニットの位置調整装置は反射体とオートコリメータとを有し、反射体は反射面から入射した光の一部を透過させ、制御手段は、オートコリメータが出力する信号に基づいて変位手段の制御を行う。コリメートレンズを透過した光線束の少なくとも一部は反射体に入射し、反射体に入射した光線束の一部は反射体によって反射され、その後受光素子に入射する。反射体に入射した光線束のうち、前記一部を除く他のの光は反射体を透過し、オートコリメータに入射する。制御手段はオートコリメータが前記一部を除く他の光を受光して出力した信号に基づいて、受発光ユニットの位置を変位手段によって変化させる。これによって、コリメートレンズを透過した光線束が平行光となるように受発光ユニットの位置を変化させることができる。したがって、コリメートレンズ透過後、反射体を透過する光線束を平行光とし、この光線束方向を、コリメートレンズの光軸方向に一致させることができる。
【００３６】
また本発明によれば、光ピックアップ装置は、コリメートレンズに対する受発光ユニットの相対位置が、受発光ユニットの位置調整装置によって調整された、受発光ユニットを含む。これによって、反射部材によって反射された光のうちの受光素子に入射するべき光線束について、光線束の進行方向に垂直な断面における光強度が、断面の中心に関して回転対称な分布となる。したがって光源から発せられる光のうち、光の進行方向に垂直な断面における光強度の最も大きい光線束の位置を、複数の受光素子に入射するべき光線束の、光線束の進行方向に垂直な断面の中心と一致させることができる。
【００３７】
また本発明によれば、受発光ユニットの位置調整方法は、基体保持工程と、受発光工程と、変位工程とを含む。コリメートレンズが固定される基体を保持工程において保持し、受発光工程において光源からの発光と、コリメートレンズ透過後の光線束の受光とを行う。受発光工程において受光素子は、受光した光の光強度に応じて信号を出力し、この出力に基づいて、制御手段は変位工程において、受発光ユニットのコリメートレンズに対する相対位置を変化させる。これによって、受光素子に入射するべき光線束について、光線束の進行方向に垂直な断面における光強度が、断面の中心に関して回転対称な分布となるように、受発光ユニットの位置を調整することができる。したがって光源から発せられる光のうち、光の進行方向に垂直な断面における光強度の最も大きい光線束の位置を、複数の受光素子に入射するべき光線束の、光線束の進行方向に垂直な断面の中心と一致させることができる。
【発明を実施するための最良の形態】
【００３８】
以下、図面を参照しながら本発明を実施するための形態を、複数の形態について説明する。以下の説明においては、各形態に先行する形態ですでに説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００３９】
図１は、本発明の第１実施形態に係る受発光ユニット１１の位置調整装置１０の一部を切断して示す側面図である。本発明の第１実施形態に係る受発光ユニット１１の位置調整装置１０は、光ピックアップ装置２０の受発光ユニット１１の、光ピックアップ装置２０内のコリメートレンズ１２に対する相対位置を調整する装置である。光ピックアップ装置２０は、反射部材に対して光を出射し、反射部材に反射された光を検出する。反射部材に対する光の出射は、受発光ユニット１１内の光源から行い、反射された光の検出は、受発光ユニット１１内の受光素子１３によって行う。受発光ユニット１１は、光源と複数の受光素子１３とを含んで一体に形成される。以下、受発光ユニット１１の位置調整装置１０を、単に「位置調整装置」と称することがある。
【００４０】
反射部材は、レーザ光を用いて情報の記録、再生、消去、あるいは書換えがなされる光情報記録媒体１４であり、たとえば、コンパクトディスク（Compact Disc:略称、「ＣＤ」）、追記型コンパクトディスク（Compact disc-Recordable:略称、「ＣＤ−Ｒ」）、書き換え型コンパクトディスク（Compact disc-Rewritable:略称、「ＣＤ−ＲＷ」）などのＣＤ系と呼ばれる光ディスク、デジタルバーサタイルディスク（Digital Versatile     Disc:略称ＤＶＤ）、追記型デジタルバーサタイルディスク（Digital Versatile        Disc-Recordable:略称ＤＶＤ−Ｒ）、書き換え型デジタルバーサタイルディスク（      Digital Versatile Disc-Rewritable:略称ＤＶＤ−ＲＷ）などのＤＶＤ系と呼ばれる光ディスク、ハイディフィニションデジタルバーサタイルディスク（High-Definition       Digital Versatile Disc:略称、「ＨＤ  ＤＶＤ」）、あるいはブルーレイディスクなどである。以下、反射部材を「光情報記録媒体」と称する。
【００４１】
光源は、レーザ光を発するレーザダイオード（Laser Diode：略称ＬＤ）である。以下、光源を「発光素子」と称することもある。発光素子１５の発振波長は、規定しない。発光素子１５の発振波長は、情報の記録、再生、消去および書換えのうちいずれかを行う光情報記録媒体１４に対応する。たとえば発光素子１５は、６３０ｎｍ以上６９０ｎｍ以下の波長のレーザ光を発するＬＤであってもよいし、７８０ｎｍ以上７５０ｎｍ以下の波長のレーザ光を発するＬＤであってもよい。受光素子１３は、発光素子１５から発せられて反射部材で反射された反射光を受光し、かつ受光した光強度に応じて信号を出力する。
【００４２】
第１実施形態において、位置調整装置１０は、変位手段１６と、反射体と、制御手段１７とを含んで構成される。変位手段１６は、コリメートレンズ１２に対して受発光ユニット１１の相対位置を変化させる手段である。反射体は、平面状の反射面３１を有しており、反射面３１に入射した光の少なくとも一部を反射する。反射体は、コリメートレンズ１２に関して受発光ユニット１１と反対側に配置され、コリメートレンズの光軸Ｌ１０に反射面３１が垂直となるように配置される。反射体は、コリメートレンズ１２を透過した光線束を反射面３１によって反射する。制御手段１７は、受光素子１３から出力される信号に基づいて、変位手段１６を制御する。
【００４３】
発光素子１５から発せられた光は、コリメートレンズ１２を透過し、反射体によって反射され、複数の受光素子１３に入射する。受光素子１３は、受光素子１３に入射した光の光強度に応じて信号を出力する。受光素子１３からの信号に基づいて制御手段１７は変位手段１６を制御する。位置調整装置１０は、発光素子１５から発せられて反射体によって反射された光を、受光素子１３で検出しながら受発光ユニット１１のコリメートレンズ１２に対する位置を調整する。調整は、反射体によって反射された光のうち、受光素子に入射するべき光線束について、光線束の進行方向に垂直な断面における光強度が、断面の中心に関して回転対称な分布となるように行う。本発明において、ｎを２以上の自然数として、ｎ回対称軸を有する形状を「回転対称」と称する。ｎは、正の無限大であってもよく、たとえば円および円筒は、円の中心または円筒の軸を回転軸とする、ｎが正の無限大のときの回転対称な形状に相当する。第１実施形態において、反射体は、半透過半反射ミラー１８である。
【００４４】
コリメートレンズ１２は、発光素子１５から入射する光を透過する。光ピックアップ装置内においてコリメートレンズ１２は、発光素子１５から入射する光を平行化する。したがって、発光素子１５から発せられた光は、コリメートレンズ１２透過後、平行光となる。コリメートレンズ１２は凸レンズである。基体２１は、コリメートレンズを固定しており、光ピックアップ装置に含まれるコリメートレンズおよび基体以外の部品は、基体２１に対して連結されることによって、コリメートレンズとの相対位置が決定される。
【００４５】
第１実施形態に係る位置調整装置１０は、コリメートレンズ１２を固定している基体２１と、コリメートレンズ１２とを位置の基準として、受発光ユニット１１の位置を調整する。位置調整装置１０によって調整が行われる受発光ユニット１１は、発光素子１５と、受光素子１３と、ホログラム２２と、発光素子１５および受光素子１３を一体に固定するケーシング２３と、ホログラム固定手段２４とを含み構成されている。以下、コリメートレンズの光軸Ｌ１０の軸線方向を、単に「光軸方向」と称し、光軸方向Ｚのうちコリメートレンズ１２から受発光ユニット１１に向かう向きを「光軸方向一方」と称し、逆の向きを「光軸方向他方」と称する。
【００４６】
受発光ユニット１１は、コリメートレンズの光軸方向一方Ｚ１に位置する。受発光ユニット１１は、発光素子１５がコリメートレンズの光軸Ｌ１０上に位置し、発光素子１５から発せられるレーザ光が光軸方向他方Ｚ２に向けて発せられるような位置、向きに配置される。発光素子１５と受光素子１３とは、受発光ユニット１１を収納する部材であるケーシング２３内に配設され、ケーシング２３に対して固定される。ケーシング２３のうちの光軸方向他方Ｚ２の端部は、光軸方向Ｚに略垂直な面を有する平面状の部分であり、この平面状の部分は、発光素子１５が発する発振波長の光が透過できるように、透明な材料によって形成される。
【００４７】
ケーシング２３の光軸方向他方Ｚ２には、ホログラム２２とホログラム固定手段２４とがケーシング２３に固着して設けられる。ホログラム固定手段２４は、透明な材料によって形成され、ホログラム２２をケーシング２３に対して固定している。ホログラム固定手段２４の光軸方向他方Ｚ２の端部は、ケーシング２３の光軸方向他方Ｚ２の端部の面と平行な平面状の部分であり、この平面状の部分は、発光素子１５が発する発振波長の光が透過できる材料によって形成される。本明細書本文中において、「略垂直」は「垂直」を含む。
【００４８】
発光素子１５は、コリメートレンズの光軸方向一方Ｚ１の焦点の位置に、発光素子１５の発光点が存在するように位置することが理想であり、これによって発光素子１５から出射された光は、コリメートレンズ１２透過後、平行光となる。発光素子１５から出射された出射光のうち、最も光強度の大きい光線は出射光の中央を通り、この光強度の最も大きい光線がコリメートレンズの光軸Ｌ１０を通ることが理想である。受発光ユニット１１が、コリメートレンズ１２に対してこの理想的な相対位置に位置している状態を、以下、「理想的状態」と称する。
【００４９】
受発光ユニット１１から出射した光は、光情報記録媒体１４で反射され、再び受発光ユニット１１に戻り、受光素子１３に入射する。理想的状態において、光情報記録媒体１４で反射されて受光素子１３に入射する光線束は、コリメートレンズの光軸Ｌ１０を通る光強度の最も大きい光線を中心として、光強度が回転対称に分布する。受発光ユニット１１の中で発光素子１５と受光素子１３との位置関係は、受光素子１３に入射する光線束が、光強度の最も大きい光線を中心として光強度が回転対称に分布する光線束となるように、決定されている。
【００５０】
光ピックアップ装置２０の中で、コリメートレンズ１２透過後の平行光の、その進行方向に垂直な断面の面積は、光ピックアップ装置２０に含まれる対物レンズ３７あるいは光線束を絞るために設けられた開口絞り３６によって、制限される。仮に対物レンズ３７あるいは開口絞り３６によって断面積が制限されない場合、発光素子１５から出射され、コリメートレンズ１２透過後、光情報記録媒体１４によって反射されて受発光ユニット１１に戻る光線束は、受光素子１３の受光面の面積よりも広い範囲を照射する。換言すれば、受光素子１３に入射する光線束の、その進行方向に垂直な断面の面積は、受光素子１３が受光面の面積よりも大きい。
【００５１】
ホログラム２２は、ホログラム固定手段２４に固着される。ホログラム２２は光軸方向一方Ｚ１から入射する光を透過させる。光軸方向一方Ｚ１から、光軸方向Ｚに平行に入射する光を、その光の進行方向を変えることなく透過させる。またホログラム２２は、光軸方向他方Ｚ２から入射する光を、その光の進行の向きを変化させて透過させる。受発光ユニット１１が理想的状態にあるとき、光軸方向他方Ｚ２側から光軸方向一方Ｚ１に進み、光軸方向Ｚに平行にホログラム２２に対して入射する光の全ては、複数の受光素子１３に入射する。本発明において、光軸方向他方Ｚ２側から光軸方向一方Ｚ１に進んでホログラム２２に入射する光線束のうち、複数の受光素子１３に入射する光線束を「受光素子に入射するべき光線束」と称することがある。受光素子に入射するべき光線束は、ホログラム２２に入射する直前の光線束の全てまたは一部を指し、理想的状態においては、ホログラム２２に入射する光線束の全てが、受光素子に入射するべき光線束である。
【００５２】
ホログラム２２は、光の強度を変化させずに透過させることが好ましい。発光素子１５からの光がホログラム２２上の各部位を透過するとき、ホログラム２２上の各部位の、発光素子１５からの光に対する透過率は、それぞれ同じである。
【００５３】
コリメートレンズ１２は、凸レンズで、第１実施形態においてコリメートレンズ１２の形状は、光軸方向Ｚに見て、円形とする。理想的状態においてはコリメートレンズ１２の光軸方向一方Ｚ１側の焦点と発光素子１５の発光点の位置とは一致しており、コリメートレンズ１２は、発光素子から発せられた光をコリメートレンズ透過後、平行光にする。コリメートレンズ１２の光軸方向一方Ｚ１側の面の曲率半径と、光軸方向他方Ｚ２側の曲率半径とは、必ずしも一致する必要はない。コリメートレンズ１２を光軸方向Ｚに見て、その外縁部は、基体２１に固定されており、コリメートレンズ１２は基体２１によって保持される。
【００５４】
基体２１は、コリメートレンズ１２の光軸方向一方Ｚ１および光軸方向他方Ｚ２に、空間が形成されている。光軸方向一方Ｚ１の空間と光軸方向他方Ｚ２の空間との間にはコリメートレンズ１２が位置する。コリメートレンズ１２に入射する光およびコリメートレンズ１２を透過した光は、基体２１に形成された空間を通過する。基体２１には、光ピックアップ装置１０内で他の部品と連結されるために、他の部品と嵌合または係合するための複数の連結部が形成されている。
【００５５】
基体２１に形成された光軸方向一方Ｚ１側の空間を規定する基体２１の内周部の、光軸方向一方Ｚ１側の端部は、位置調整の段階においては接着剤を介して受発光ユニット１１と連結される。位置調整終了後、光ピックアップ装置として組立てられたときには、接着剤は乾固し、接着層となる。基体１２は、接着層を介して、受発光ユニット１１と固着される。基体２１に形成された光軸方向他方Ｚ２側の空間を規定する基体２１の内周部の光軸方向他方Ｚ２側の端面は、光軸方向Ｚに垂直な平面である。
【００５６】
図２は、本発明の実施形態の理想的状態において、複数の受光素子１３の受光面にホログラム２２から光が入射したときの、複数の受光素子１３の受光面の平面図である。複数の受光素子１３は、受光素子１３に含まれる受光面が、光軸方向Ｚに略垂直になるように、位置する。複数の受光素子１３は、４つの正方形の受光素子１３Ａ〜１３Ｄを有する。受光素子１３は、受光面に平行な１つの方向に２つずつ並び、各受光面の正方形の一辺が互いに接するように並ぶ。また受光素子１３は、受光面に平行な前記１つの方向に垂直な方向に２つずつ並び、各受光面の正方形の一辺が互いに接するように並ぶ。
【００５７】
図２に示すように、受光素子１３Ａと受光素子１３Ｃとが対角線上にならび、受光素子１３Ｂと受光素子１３Ｄとが対角線上に並ぶ。受光素子１３は、ホログラム２２を透過して受光素子１３の受光面に入射する光を受光し、受光した光の光強度に応じて電気信号を出力する。受光素子１３は、制御手段１７に電気的に接続され、制御手段１７に対して電気信号を出力する。
【００５８】
光ピックアップ装置２０が光情報記録媒体１４の記録、再生、消去および書換えのうちのいずれかを行うときには、受光素子１３は、光情報記録媒体１４から反射されてホログラム２２を透過して入射する光を受光し、前記４つの受光面で受光し、受光した光の光強度に応じて、電気信号を光ピックアップ装置２０に含まれる制御部に対して出力する。制御部は受光素子１３からの電気信号に基づいてフォーカスエラー信号、トラッキングエラー信号、高周波（Radio Frequency：略称ＲＦ）信号を出力する。フォーカスエラー信号およびトラッキングエラー信号は、各受光素子１３Ａ〜１３Ｄからの出力信号を制御部が比較して、比較結果に基づいて出力される。ＲＦ信号は、各受光素子１３Ａ〜１３Ｄからの出力信号を制御部が合計して、合計した結果に基づいて出力される。
【００５９】
コリメートレンズ１２は、基体２１に対して固定される。受発光ユニット１１は基体２１に対し、接着剤２６によって接合される。接着剤２６は液体成分を含み、接着剤２６の乾固が終了すれば、固体となる。受発光ユニット１１の位置調整は、接着剤２６の乾固が終了する前に行われる。受発光ユニット１１と基体２１とに接する接着剤２６は、乾固が終了した後、固体となり、受発光ユニット１１と基体２１とを接着し、その位置関係を固定する。
【００６０】
位置調整装置１０は、変位手段１６と、絞り手段２７と、反射体である半透過半反射ミラー１８と、オートコリメータ２８と、制御手段１７とを含んで構成される。絞り手段２７は、コリメートレンズ１２よりも光軸方向他方Ｚ２に位置する。絞り手段２７は板状部材によって形成され、基体２１よりも光軸方向他方に位置しており、位置調整の間、基体２１に対する相対位置が変化しないように基体２１に対して固定される。絞り手段２７には、光軸方向Ｚに見て、中央部に、発光素子１５からの光が通過できるように通過領域２９が設けられる。第１実施形態において通過領域２９は、ガラスによって形成される。他の実施形態において通過領域２９は樹脂によって形成されていてもよく、またさらに他の実施形態において通過領域２９は、絞り手段２７に形成された孔であってもよい。
【００６１】
絞り手段２７の通過領域２９を除く残余の部分３０は、発光素子１５からの光を遮光する材料によって形成される。残余の部分３０に入射する発光素子１５からの光は、その一部が吸収され、他の一部は反射される。通過領域２９の形状は、光軸方向Ｚに見て円形である。通過領域２９の形状は、光ピックアップ装置２０に含まれる対物レンズ３７をその光軸に沿って見たときの形状と同じであることが好ましい。本実施形態において、光が部品を透過することと、部品に設けられた孔を通過することの両方を含んで「通過」という。
【００６２】
絞り手段２７は光軸方向Ｚに垂直に配置され、通過領域２９を光軸方向Ｚに見たときの形状は、円形である。絞り手段２７を光軸方向Ｚに沿って見たとき、通過領域２９の中心はコリメートレンズの光軸Ｌ１０に一致するように配設される。残余の部分３０の光軸方向一方Ｚ１側の表面は、いわゆる荒れ加工が施される。残余の部分３０の光軸方向一方Ｚ１側の表面に入射する光の一部は残余の部分３０に吸収され、入射する光の、吸収された光を除く残余の光は、乱反射される。
【００６３】
第１実施形態において、半透過半反射ミラー１８で反射された光線束は、再び通過領域２９を通り、受光ユニットに入射する。コリメートレンズ１２に対して受発光ユニット１１が理想的状態にあるとき、光軸方向他方Ｚ２側から光軸方向一方Ｚ１に向かって進んで通過領域２９を通る光線束の全ては、複数の受光素子１３に入射する。この光線束の中央の光線は、ホログラム２２および複数の受光素子１３の中心に入射する。半透過半反射ミラー１８で反射され、通過領域２９を透過した後の光線束の直径は、４つの受光素子１３全体の四角形の一辺の長さに対して６割以上８割以下となることが好ましい。
【００６４】
位置調整装置１０は、反射体として半透過半反射ミラー１８を含む。半透過半反射ミラー１８は板状の部材であり、その厚み方向が光軸方向Ｚと一致するように配置される。半透過半反射ミラー１８は、その光軸方向一方Ｚ１の表面が反射面３１として形成される。反射面３１に入射した光の一部は反射され、反射面３１に入射した光のうち、反射された一部の光を除く他の一部の光は、半透過半反射ミラー１８を透過する。半透過半反射ミラー１８に光軸方向他方Ｚ２から入射した光は、半透過半反射ミラー１８を透過する。半透過半反射ミラー１８を光軸方向Ｚに見たときの形状は、規定しないけれども、第１実施形態においては、矩形である。半透過半反射ミラー１８を光軸方向Ｚに見たときの中心は、コリメートレンズの光軸Ｌ１０に一致するように配置される。
【００６５】
コリメートレンズ１２を通る、光軸方向Ｚに平行な、仮想的な直線は全て、半透過半反射ミラー１８を通る。換言すれば、光軸方向他方Ｚ２にみて、半透過半反射ミラー１８はコリメートレンズ１２よりも大きく、コリメートレンズ１２と半透過半反射ミラー１８との位置関係を固定したまま他の部材を仮想的に除去したときに、光軸方向他方Ｚ２に見て、半透過半反射ミラー１８の外周部分はコリメートレンズ１２よりも外方に見える。他の実施形態によれば、半透過半反射ミラー１８は、通過領域２９を通る、光軸方向Ｚに平行な、仮想的な直線の全てが、半透過半反射ミラー１８を通るような大きさおよび位置であれば、足りる。たとえば半透過半反射ミラー１８を光軸方向Ｚに見たときの大きさは、コリメートレンズ１２を光軸方向Ｚに見たときの大きさよりも小さくてもよい。
【００６６】
位置調整装置１０は、オートコリメータ２８を含む。オートコリメータ２８は、半透過半反射ミラー１８よりも光軸方向他方Ｚ２に位置し、コリメートレンズ１２を透過し光軸方向他方Ｚ２に進む光の向きを、コリメートレンズの光軸Ｌ１０を基準に測定する。オートコリメータ２８をコリメートレンズ１２に対して配置するときには、オートコリメータ２８からコリメートレンズ１２に対して光を出射し、コリメートレンズ１２で反射された光をオートコリメータ２８によって受光し、受光した光の位置を観測することによってコリメートレンズ１２とオートコリメータ２８との位置関係を測定し、この測定結果に基づいてコリメートレンズ１２に対するオートコリメータ２８の位置を調整する。これによって、オートコリメータ２８は、オートコリメータ２８が検出する範囲の中心において、コリメートレンズの光軸Ｌ１０を通る光を検出できるように、配設される。
【００６７】
他の実施形態において、コリメートレンズ１２に対するオートコリメータ２８の位置調整方法を規定しない。たとえば、オートコリメータ２８の位置を、コリメートレンズ１２が固定される基体２１に対して機械的に位置決めし、配置してもよい。
【００６８】
変位手段１６は、基体２１を保持する基体保持部３３と、受発光ユニット１１を保持するユニット保持部３４と、ユニット保持部３４をユニット保持部３４に対して変位させる変位駆動部３５とを含んで構成される。第１実施形態において基体保持部３３は、基体２１を把持する。基体保持部３３は、ユニット保持部３４に対して機械的に接続される。第１実施形態においてユニット保持部３４は、受発光ユニットを把持する。ユニット保持部３４は、変位駆動部３５の駆動によって変位および角変位され、変位駆動部３５の駆動によって基体保持部３３に対する位置が変更される。
【００６９】
変位駆動部３５は、位置調整装置１０の制御手段１７に電気的に接続されて制御される。ユニット保持部３４の基体保持部３３に対する変位の向き、変位量は、制御手段１７によって制御される。変位手段１６は、光軸方向Ｚと、光軸方向Ｚに垂直な一方向と、光軸方向Ｚおよび前記光軸方向Ｚに垂直な一方向に垂直な他の一方向とに、受発光ユニット１１を変位させることができる。また、変位手段１６は、光軸方向Ｚまわり、前記光軸方向Ｚに垂直な一方向まわり、前記他の一方向周りに受発光ユニット１１を角変位させることができる。
【００７０】
図３は、本発明の第１実施形態に係る位置調整装置１０がコリメートレンズ１２に対する受発光ユニット１１の相対位置を調整するときの、電気的接続関係を表すブロック図である。制御手段１７は、受光素子１３と、オートコリメータ２８と、変位手段１６とに接続され、オートコリメータ２８からの出力信号と、受光素子１３からの出力信号とに基づいて変位手段１６を制御し、受発光ユニット１１の位置を決定する。制御手段１７は受光素子１３と電気的に接続され、受光素子１３からの電気信号を受取る。またオートコリメータ２８とも電気的に接続され、オートコリメータ２８からの電気信号を受取る。また制御手段１７は、変位手段１６に含まれる変位駆動部３５と電気的に接続され、変位駆動部３５の制御を行う。変位駆動部３５は、変位手段１６に含まれるユニット保持部３４を、基体保持部３３に対して変位および角変位させて、ユニット保持部３４の位置を変化させる。これによって、受発光ユニット１１のコリメートレンズ１２に対する相対位置を変化させる。
【００７１】
発光素子１５は、発散光を発する。発光素子１５から発せられた発散光を成す光線の光強度は、光線の向きによって差がある。発散光の発散角のうちの中央に向かう光線の光強度は大きく、発散光の発散角のうち、周囲の光線の光強度は小さい。発光素子１５から発せられる発散光の光強度は、光強度の最も大きい光線を軸に、回転対称に分布する。発光素子１５から発せられて、コリメートレンズ１２を透過した光線束のうち、光強度の最も大きい光線束は、その進行方向に垂直な断面の中で面積を有している。理想的状態においては、光強度の最も大きい光線束が、受光素子１３に入射する光線束とほぼ一致し、受光素子が受光するべき光線束の、その進行方向に垂直な断面における光強度の分布は、その断面の中心に関して回転対称となる。
【００７２】
図４は、本発明の他の実施形態において、変位手段１６、制御手段１７、半透過半反射ミラー１８およびオートコリメータ２８によって受発光ユニット１１のコリメートレンズ１２に対する相対位置を調整した光ピックアップ装置２０の一部を切断して示す側面図である。対物レンズ３７は、発光素子１５から発せられてコリメートレンズ１２を透過した後の光線束を、光情報記録媒体１４の情報が記録されている記録面上に集光し、その記録面上で反射された反射光を透過させる。
【００７３】
発光素子１５の発光点の位置がコリメートレンズ１２の焦点の位置に一致するとき、発光素子１５から発せられてコリメートレンズ１２を透過した光は、平行光となる。平行光となった光線束の、進行方向に垂直な断面における、光強度分布は、必ずしもコリメートレンズの光軸Ｌ１０を中心として回転対称には分布していない。発光素子１５から発せられてコリメートレンズ１２を透過した光のうち光強度の最も大きい光線が、コリメートレンズの光軸Ｌ１０からずれていても、対物レンズ３７を光軸方向Ｚに対して垂直に変位させて調整し、光情報記録媒体１４で反射された後の光のうち光強度の最も大きい光線束を、受光素子に入射するべき光線束とすることは可能である。
【００７４】
しかし、仮に発光素子１５から発せられた光のうち光強度の最も大きい光線の向きが光軸方向Ｚから大きくずれ、コリメートレンズ１２に入射しない場合には、対物レンズ３７の位置調整によって光強度の最も大きい光線を、受光素子１３に入射させることはできない。
【００７５】
本発明の第１実施形態においては、図１に示すように、オートコリメータ２８は、絞り手段２７および半透過半反射ミラー１８よりも光軸方向他方Ｚ２に配置され、オートコリメータ２８には、コリメートレンズ１２、絞り手段２７および半透過半反射ミラー１８を通過した光線束が入射する。オートコリメータ２８は、オートコリメータ２８に入射した光線束の向きが、コリメートレンズの光軸Ｌ１０からどれだけずれているかを検出し、電気信号を制御手段１７に出力する。制御手段１７はオートコリメータ２８からの出力信号に基づいて、変位手段１６を制御し、オートコリメータ２８に入射した光線束の向きが光軸方向Ｚに一致するように、受発光ユニット１１の位置を決定する。これによって、コリメートレンズ１２透過後の光線束を平行光とすることができる。
【００７６】
発光素子１５から発せられた光のうち、半透過半反射ミラー１８によって反射された光線束は、ホログラム２２を透過し、受光素子１３に入射する。制御手段１７は複数の受光素子１３からの出力信号が等しくなるように変位手段１６を制御し、受発光ユニット１１の位置を決定する。これによって、ホログラム２２に入射する光線束の断面において、この光線束の光強度の分布が、断面の中心に関して回転対称となるように、受発光ユニット１１の位置を決定することができる。変位手段１６による受発光ユニット１１の位置調整では、受発光ユニット１１の並進に加えて受発光ユニット１１の角変位も行うことができる。
【００７７】
第１実施形態において、受光素子１３の受光面は、受光する光線束の断面の中心に対して回転対称な形状である。しかし他の実施形態において、受光素子１３の受光面は、受光する光線束の断面の中心に対して回転対称な形状でなくてもよい。この場合、複数の受光素子１３からの出力信号が均等であることと、ホログラム２２に入射する光線束の断面において、光線束の光強度の分布が回転対称であることとは一致しない。このとき、受光素子１３からの信号を演算して、ホログラム２２に入射する光線束の断面において、光線束の光強度分布が断面の中心に関して回転対称となるように、受発光ユニット１１の位置を決定する。
【００７８】
図５は、本発明の第１実施形態において、理想的状態の光ピックアップ装置２０の一部を切断して示す側面図である。第１実施形態において光ピックアップ装置２０に含まれる開口絞り３６が対応する光線束の直径ｄ１は、コリメートレンズ１２から対物レンズ３７までの光路の中で、最も小さい。換言すれば、開口絞り３６を透過するときに、光線束全体の光強度は最も減少する。本明細書本文中において、光路途中で最も光線束全体の光強度を減少させる部材の、光が通過することができる領域を、「開口絞り」と称する。
【００７９】
第１実施形態において開口絞り３６は対物レンズ３７と一体に、対物レンズ３７の光軸方向一方Ｚ１に設けられる。第１実施形態において開口絞り３６は対物レンズ３７と一体に設けられるけれども、本発明において開口絞り３６は対物レンズ３７とは別体に設けられていてもよい。たとえば他の実施形態において、光情報記録媒体１４で反射されて対物レンズ３７を透過した後の光線束を、さらに絞る開口絞り３６が別に設けられていてもよい。この場合には、位置調整装置１０の絞り手段２７は、別に設けられた開口絞り３６に対応し、この開口絞り３６を透過する光線束を透過させる。さらに他の実施形態において開口絞り３６は、対物レンズ３７そのものであってもよい。
【００８０】
第１実施形態において絞り手段２７の通過領域２９を光軸方向Ｚに見たときの外径は、光ピックアップ装置２０に含まれる開口絞り３６を通過する光線束の外径に対応する。光情報記録媒体１４によって反射され、対物レンズ３７を透過した後の光線束が平行光であれば、絞り手段２７の通過領域２９を光軸方向Ｚに見たときの外径は、開口絞り３６を通過する光線束の外径に一致する。光情報記録媒体１４によって反射され、対物レンズ３７を透過した後の光線束が発散光であれば、絞り手段２７の通過領域２９を光軸方向Ｚに見たときの外径は、開口絞り３６を光軸方向Ｚに見たときの外径ｄ１よりも大きく設定する。光情報記録媒体１４によって反射され、対物レンズ３７を透過した後の光線束が収束光であれば、通過領域２９を光軸方向Ｚに見たときの外径は、開口絞り３６を光軸方向Ｚに見たときの外径ｄ１よりも小さく設定する。
【００８１】
いずれの場合においても、通過領域２９を光軸方向Ｚに見たときの外径は、光情報記録媒体１４によって反射され、開口絞り３６を透過した後の光線束が通過する大きさである。また開口絞り３６透過後の光線束よりも、コリメートレンズの光軸Ｌ１０に関して外方にある光線束は、絞り手段２７の残余の部分３０によって遮蔽されるように、通過領域２９の大きさを設定する。
【００８２】
これによって、通過領域２９を通過した光線束は、開口絞り３６を透過した光線束と同等の光強度を有する。したがって、通過領域２９を通過した光線束を受光素子１３に入射させ、受光素子１３からの信号に基づいて受発光ユニット１１の位置を調整すれば、受発光ユニット１１の位置を、対物レンズ３７を含んで組み立てられたときに最適な位置とすることができる。対物レンズ３７の光軸をコリメートレンズの光軸Ｌ１０に一致させて対物レンズ３７を設置すれば、受発光ユニット１１は、位置調整するときに、置かれた条件と同じ条件で対物レンズ３７透過後の光を受光することができる。したがって、光ピックアップ装置を作製したときに、対物レンズ３７が光軸方向Ｚに垂直な向きに変位できる範囲が、コリメートレンズの光軸Ｌ１０を中心に広がるので、対物レンズ３７がトラッキングによって変位できる範囲が、コリメートレンズの光軸Ｌ１０からずれることを防ぐことができる。
【００８３】
第１実施形態においてコリメートレンズ１２の形状は、光軸方向Ｚに見て、円形であるけれども、他の実施形態においてコリメートレンズ１２の形状は、光軸方向Ｚに見て楕円であってもよい。
【００８４】
第１実施形態において基体保持部３３は、基体２１を把持することによって基体２１を保持するけれども、基体保持部３３は、基体２１を保持することができれば、足りる。たとえば他の実施形態において基体保持部３３は、吸着パッドによって基体２１を保持してもよいし、基体２１に形成される内ねじ対して外ねじを螺合させることによって基体２１を保持してもよい。
【００８５】
第１実施形態においてユニット保持部３４は、受発光ユニットを把持することによって保持するけれども、ユニット保持部３４は、受発光ユニットを保持することができれば、足りる。たとえば他の実施形態においてユニット保持部３４は、受発光ユニットを吸着パッドによって吸着することによって保持してもよい。
【００８６】
本発明の第１実施形態に係る受発光ユニット１１の位置調整方法は、基体２１保持工程と、受発光工程と、変位工程とを含んで構成される。
【００８７】
図６は、第１実施形態に係る受発光ユニット１１の位置調整方法の工程を表すフローチャートである。本処理開始後、ステップａ１の基体保持工程に移行し、変位手段１６の基体保持部３３によって、基体２１を保持する。次にステップａ２の受発光ユニット保持工程に移行し、ユニット保持部３４によって受発光ユニット１１を保持する。受発光ユニット保持工程において受発光ユニット１１は、コリメートレンズの光軸方向一方Ｚ１に、発光素子１５がコリメートレンズの光軸Ｌ１０上に位置するように配置される。また受発光ユニット１１は、発光素子１５から発せられるレーザ光が光軸方向他方Ｚ２に向けて発せられ、コリメートレンズ１２に入射するような向きに配置される。
【００８８】
次にステップａ３のオートコリメータ配置工程に移行し、オートコリメータ２８を配置する。オートコリメータ２８は、コリメートレンズの光軸Ｌ１０を通る光線を検出する位置に配置される。次にステップａ４の反射体配置工程に移行し、反射体をコリメートレンズの光軸Ｌ１０に対して垂直に配置する。第１実施形態では反射体配置工程において、絞り手段２７の配置も行う。絞り手段２７は、コリメートレンズの光軸Ｌ１０に垂直に位置するように配置され、絞り手段２７は、その通過領域２９の中心がコリメートレンズの光軸Ｌ１０上に位置するように配置される。
【００８９】
次にステップａ５の受発光工程に移行し、発光素子１５から光を発する。発光素子１５からの光は大略的に光軸方向他方Ｚ２に向けて発せられ、少なくとも一部の光はコリメートレンズ１２に入射する。コリメートレンズ１２を透過した光は、光線束として絞り手段２７の通過領域２９を通過し、反射体に入射する。反射体に入射した光線束の一部は反射体によって反射され、反射体に入射した光線束のうち反射されなかった他の一部の光は反射体を透過する。
【００９０】
反射体によって反射された光線束は光軸方向一方Ｚ１に進み、再び通過領域２９を通過し、コリメートレンズ１２に入射する。コリメートレンズ１２を透過した光線束は、ホログラム２２に入射する。ホログラム２２に入射した光線束はホログラム２２によってその進行方向が変えられ、大略的に受光素子１３に入射する。受光素子１３に光が入射すると、入射した光の光強度に応じて電気信号を制御手段１７に対して出力する。反射体を透過した光線束はオートコリメータ２８に入射する。オートコリメータ２８に光が入射すると、入射した光の光強度に応じて電気信号を制御手段１７に対して出力する。
【００９１】
次にステップａ６の変位工程に移行し、制御手段１７が変位手段１６の制御を行う。制御手段１７は受光素子１３からの電気信号に基づいて、変位手段１６の変位駆動部３５を制御し、コリメートレンズ１２に対する受発光ユニット１１の位置を決定する。第１実施形態では、変位工程において、制御手段１７は受光素子１３とオートコリメータ２８との両方が出力する電気信号に基づいて、変位手段１６の制御を行う。オートコリメータ２８によって、コリメートレンズ１２を透過した光線束の進行の向きを、コリメートレンズの光軸Ｌ１０に対して検出し、その結果に基づいて信号を制御手段１７に対して出力する。制御手段１７はオートコリメータ２８からの出力信号に基づいて変位手段１６の変位駆動部３５を制御し、コリメートレンズ１２の位置を決定する。オートコリメータ２８からの信号に基づけば、発光素子１５の発光点を、コリメートレンズの光軸Ｌ１０上に位置させることができる。
【００９２】
受光素子１３からの出力信号に基づけば、光源から発せられて反射体によって反射された光を、受光素子１３で検出しながら、受発光ユニット１１のコリメートレンズ１２に対する位置を調整する。ホログラム２２に入射する光線束について、光線束の進行方向に垂直な断面における光強度が、断面の中心に関して回転対称な分布となるように、受発光ユニット１１の位置を調整する。その後、本処理は終了する。
【００９３】
本処理の後、コリメートレンズ１２に対する受発光ユニット１１の相対位置を固定した状態で、受発光ユニット１１と基体２１との間に接着剤２６を挿入し、接着剤２６の乾固を行う。次に位置調整装置１０とコリメートレンズ１２、基体２１および受発光ユニット１１とを分離する。第１実施形態では、絞り手段２７および半透過半反射ミラー１８も、基体２１から分離される。その後、コリメートレンズ１２、基体２１および受発光ユニット１１と、対物レンズ３７、開口絞り３６など、光ピックアップ装置２０に含まれる他の部品との組立てを行い、光ピックアップ装置２０を作製する。
【００９４】
本発明の第１実施形態に係る受発光ユニット１１の位置調整方法では、ステップａ１の基体保持工程の後にステップａ２の受発光ユニット保持工程を行ったけれども、この２つの工程の順序は規定しない。たとえば、本処理開始後、ステップａ１として受発光ユニット保持工程を行い、次にステップａ２として基体保持工程を行ってもよい。
【００９５】
本発明の第１実施形態に係る受発光ユニット１１の位置調整方法では、ステップａ３のオートコリメータ配置工程の後にステップａ４の反射体配置工程を行ったけれども、この２つの工程の順序は規定しない。たとえば、ステップａ２の受発光ユニット保持工程の後にステップａ３として反射体配置工程を行い、次にステップａ４としてオートコリメータ配置工程を行ってもよい。
【００９６】
図７は、本発明の第１実施形態に係る受発光ユニット１１の位置調整方法によって位置決めされ、理想的状態となった受発光ユニット１１を含む光ピックアップ装置２０を、その一部を切断して示した側面図である。受発光ユニット１１のケーシング２３の、光軸方向他方Ｚ２の端部は、光軸方向Ｚに垂直な仮想平面と角度を成すけれども、発光素子１５から発せられる光のうち、光強度の最も大きい光線はコリメートレンズの光軸Ｌ１０に一致する。コリメートレンズ１２を透過し、光情報記録媒体１４で反射されてホログラム２２に入射するときの光線束の光強度は、その断面において、ホログラム２２の中心に関して回転対称に分布しており、光強度の最も大きい光線束が、ホログラム２２の中心を通る。ホログラム２２透過後の光線束は受光素子１３の中央に入射し、４つの受光素子１３が均等な光強度を受光するように入射する。
【００９７】
第１実施形態によれば、受発光ユニット１１の位置調整装置１０は、コリメートレンズ１２に対して、受発光ユニット１１の相対位置を変化させる変位手段１６と、コリメートレンズ１２を透過した光線束を反射する半透過半反射ミラー１８と、複数の受光素子１３からの信号に基づいて変位手段１６を制御する制御手段１７とを含む。発光素子１５から発せられた光は、コリメートレンズ１２を透過し、半透過半反射ミラー１８によって反射され、複数の受光素子１３に入射する。受光素子１３は、受光素子１３に入射した光の光強度に応じて信号を出力する。受光素子１３からの信号に基づいて制御手段１７は変位手段１６を制御する。
【００９８】
これによって、発光素子１５から発せられて半透過半反射ミラー１８によって反射された光を、受光素子１３で検出しながら、受発光ユニット１１のコリメートレンズ１２に対する位置を調整することができる。受光素子１３からの出力に基づいて、受発光ユニット１１の位置を調整することができるので、半透過半反射ミラー１８によって反射された光のうちの受光素子に入射するべき光線束について、光線束の進行方向に垂直な断面における光強度が、断面の中心に関して回転対称な分布となるように、受発光ユニット１１の位置を調整することができる。したがって発光素子１５から発せられる光のうち、光の進行方向に垂直な断面における光強度の最も大きい光線束の位置が、複数の受光素子に入射するべき光線束の、光線束の進行方向に垂直な断面の中心と一致するように、受発光ユニット１１の位置を調整することができる。
【００９９】
また第１実施形態によれば、位置調整装置１０は絞り手段２７を有し、絞り手段２７は通過領域２９と、通過領域２９を除く残余の部分３０とを含み、通過領域２９の形状は、光軸方向Ｚに見て、コリメートレンズの光軸Ｌ１０を中心に回転対称である。発光素子１５から発せられてコリメートレンズ１２を透過した光線束は絞り手段２７の通過領域２９を通過する。その後半透過半反射ミラー１８によって反射され、再び通過領域２９を通過し、受光素子１３に入射する。コリメートレンズ１２を透過した光のうち、通過領域２９を通過する光を除く残余の光は、半透過半反射ミラー１８に入射する以前に、通過領域２９を除く絞り手段２７の残余の部分３０によって遮蔽される。コリメートレンズ１２を透過した光線束は、コリメートレンズの光軸Ｌ１０を中心とした回転対称の形状の通過領域２９のみを通過する。
【０１００】
これによって、通過領域２９通過後の光線束の、コリメートレンズの光軸Ｌ１０に垂直な断面形状が、コリメートレンズの光軸Ｌ１０を中心に回転対称となるように、コリメートレンズ１２透過後の光線束の一部を通過させ、残余の光を遮蔽することができる。したがって、受光素子１３に入射する光を、通過領域２９を通過した光線束に限定することによって、コリメートレンズの光軸Ｌ１０を断面の中心とする光線束を受光素子１３に入射させることが可能となる。したがって、受光素子１３から出力される信号に基づいて受発光ユニット１１の位置調整を行うことによって、発光素子１５からの光のうち、光強度の最も大きい光線を、コリメートレンズの光軸Ｌ１０と一致させ、かつ光強度の最も大きい光線束が、受光素子に入射するべき光線束のうちの中心の光線となるように、受発光ユニット１１の位置を調整することができる。
【０１０１】
また第１実施形態によれば、光ピックアップ装置２０には開口絞り３６が含まれ、反射部材で反射されて開口絞り３６を通過する光線束の全ては、絞り手段２７の通過領域２９がコリメートレンズ１２に対して相対的に占める空間を通過する。これによって、受発光ユニット１１とコリメートレンズ１２と開口絞り３６とが組立てられ、発光素子１５からの発光と、この光の、反射部材による反射とが行われたときに、反射部材によって反射される光について、開口絞り３６を通る光線束と同じ光線束が、絞り手段２７を通過する。
【０１０２】
また、コリメートレンズの光軸Ｌ１０に平行な仮想的な光線束のうち、反射部材で反射されて開口絞り３６を通過する光線束よりも外方を通る仮想的な光線束の全ては、絞り手段２７の残余の部分３０によって遮蔽される。これによって、受発光ユニット１１とコリメートレンズ１２と開口絞り３６とが組立てられたときに、開口絞り３６を通らない光は、絞り手段２７の残余の部分３０によって遮蔽される。したがって、絞り手段２７は、反射部材によって反射される光に対して、開口絞り３６と同じ絞りの働きを有する。したがって、受光素子１３に入射する光を、受発光ユニット１１とコリメートレンズ１２と開口絞り３６とが組立てられたときに、受光素子１３に入射する光線束に限定することができる。したがって組み立てられたときと同等の条件で、コリメートレンズ１２に対する受発光ユニット１１の相対位置を調整することができる。
【０１０３】
開口絞りが、対物レンズ３７に相当する場合または対物レンズ３７を固定する固定部材に相当する場合には、対物レンズ３７の光軸がコリメートレンズの光軸Ｌ１０に一致するように組立てた状態で、光の進行方向に垂直な断面における光強度の最も大きい光線の位置を、複数の受光素子に入射するべき光線束の、光線束の進行方向に垂直な断面の中心と一致させることができる。したがって、光強度の最も大きい光線の位置を、複数の受光素子に入射するべき光線束の中心に位置させるために、対物レンズ３７をコリメートレンズ１２に対して変位させる必要がない。したがって、対物レンズ３７が複数の受発光ユニット１１に対応して機能する場合に、受発光ユニットの切替えに応じて対物レンズ３７のコリメートレンズ１２に対する位置を変更する工程を省略することができる。
【０１０４】
また第１実施形態によれば、絞り手段２７の残余の部分３０の、コリメートレンズ１２に臨む側の表面は、この表面に入射した光を散乱光として反射する。発光素子１５から発せられてコリメートレンズ１２を透過する光のうち、絞り手段２７の残余の部分３０に入射した光線束の一部は散乱光として反射される。これによって、残余の部分３０の、コリメートレンズ１２に臨む側の表面に入射する光のうち、入射する光の方向と同じ方向に反射される光の光強度は低減される。したがって反射部材によって反射された光線束のうちの通過領域２９を通過する光に対して、残余の部分３０の、コリメートレンズ１２に臨む側の表面に入射して反射される光の進行方向を異ならせることができる。したがって残余の部分３０の、コリメートレンズ１２に臨む側の表面に入射して反射され、受光素子１３に入射する光を低減することができる。
【０１０５】
また第１実施形態によれば、受発光ユニット１１の位置調整装置１０は半透過半反射ミラー１８とオートコリメータ２８とを有し、半透過半反射ミラー１８は反射面３１から入射した光の一部を透過させ、制御手段１７は、オートコリメータ２８が出力する信号に基づいて変位手段１６の制御を行う。コリメートレンズ１２を透過した光線束の少なくとも一部は半透過半反射ミラー１８に入射し、半透過半反射ミラー１８に入射した光線束の一部は半透過半反射ミラー１８によって反射され、その後受光素子１３に入射する。半透過半反射ミラー１８に入射した光線束のうち、前記一部を除く他のの光は半透過半反射ミラー１８を透過し、オートコリメータ２８に入射する。制御手段１７はオートコリメータ２８が前記一部を除く他の光を受光して出力した信号に基づいて、受発光ユニット１１の位置を変位手段１６によって変化させる。これによって、コリメートレンズ１２を透過した光線束が平行光となるように受発光ユニット１１の位置を変化させることができる。したがって、コリメートレンズ１２透過後、半透過半反射ミラー１８を透過する光線束を平行光とし、この光線束方向を、光軸方向Ｚに一致させることができる。
【０１０６】
また第１実施形態によれば、光ピックアップ装置２０は、コリメートレンズ１２に対する受発光ユニット１１の相対位置が、受発光ユニット１１の位置調整装置１０によって調整された、受発光ユニット１１を含む。これによって、反射部材によって反射された光のうちの受光素子に入射するべき光線束について、光線束の進行方向に垂直な断面における光強度が、断面の中心に関して回転対称な分布となる。したがって発光素子１５から発せられる光のうち、光の進行方向に垂直な断面における光強度の最も大きい光線束の位置を、複数の受光素子に入射するべき光線束の、光線束の進行方向に垂直な断面の中心と一致させることができる。
【０１０７】
また第１実施形態によれば、受発光ユニット１１の位置調整方法は、基体保持工程と、受発光工程と、変位工程とを含む。コリメートレンズ１２が固定される基体２１を基体保持工程において保持し、受発光工程において発光素子１５からの発光と、コリメートレンズ１２透過後の光線束の受光とを行う。受発光工程において受光素子１３は、受光した光の光強度に応じて信号を出力し、この出力に基づいて、制御手段１７は変位工程において、受発光ユニット１１のコリメートレンズ１２に対する相対位置を変化させる。これによって、受光素子に入射するべき光線束について、光線束の進行方向に垂直な断面における光強度が、断面の中心に関して回転対称な分布となるように、受発光ユニット１１の位置を調整することができる。したがって発光素子１５から発せられる光のうち、光の進行方向に垂直な断面における光強度の最も大きい光線束の位置を、複数の受光素子に入射するべき光線束の、光線束の進行方向に垂直な断面の中心と一致させることができる。
【０１０８】
図８は、本発明の第２実施形態に係る受発光ユニット１１の位置調整装置１０の一部を切断して示す側面図である。本発明の第２実施形態に係る位置調整装置１０は、変位手段１６と、絞り手段２７Ａと、反射体と、オートコリメータ２８と、制御手段１７とを含んで構成される。位置調整の対象は、コリメートレンズ１２、基体２１Ａ、および受発光ユニット１１である。第２実施形態において、コリメートレンズ１２および受発光ユニット１１は、第１実施形態におけるものと同一のものであるものとする。
【０１０９】
基体２１Ａには絞り手段２７Ａを位置決めする位置決め部を有する。第２実施形態において位置決め部は、基体２１Ａの光軸方向他方Ｚ２に面する表面部に、凸部３８として設けられる。基体２１Ａには、絞り手段２７Ａの位置決めを行う凸部３８が複数設けられており、絞り手段２７Ａには、基体２１Ａの凸部３８に嵌合する凹部３９が複数設けられる。基体２１Ａの凸部３８と絞り手段２７Ａの凹部３９が嵌合することによって、絞り手段２７Ａは基体２１Ａに対して位置決めされる。第２実施形態において絞り手段２７Ａの基体２１Ａに対する固定は、ビスまたは接着層などによって行われるけれども、他の実施形態において絞り手段２７Ａは、基体２１Ａの凸部３８と絞り手段２７Ａの凹部３９が嵌合することによって、基体２１Ａに対して固定されてもよい。
【０１１０】
第２実施形態において位置調整装置１０の変位手段１６、反射体、オートコリメータ２８および制御手段１７は、第１実施形態におけるもとの同一であるものとする。第２実施形態における絞り手段２７Ａは、コリメートレンズ１２よりも光軸方向他方Ｚ２に位置する。絞り手段２７Ａには、孔４１が形成され、この孔４１が、発光素子１５から発せられてコリメートレンズ１２を透過した後の光線束に対して、通過領域２９として機能する。孔４１は円形に形成され、孔４１を規定する縁部は１つの仮想平面上に位置する。絞り手段２７Ａは、縁部を含む仮想平面が光軸方向Ｚに垂直になるように配置される。また孔４１の中心が、コリメートレンズの光軸Ｌ１０上に位置するように配置される。絞り手段２７Ａの残余の部分３０Ａは、コリメートレンズの光軸Ｌ１０上の仮想的な点を頂点とした円錐に沿って形成される。この円錐の１つの母線と、この母線から最も遠ざかった位置にある母線とが成す角は、９０°以上１８０°未満であることが好ましい。換言すれば、第２実施形態における絞り手段２７Ａの残余の部分３０Ａの形状は、いわゆるテーパの形状である。残余の部分３０Ａは、発光素子１５からの光を遮光する材料によって形成される。残余の部分３０Ａに入射する発光素子１５からの光は、その一部が吸収され、他の一部は反射される。
【０１１１】
残余の部分３０Ａは、孔４１を規定する縁部を含む仮想平面よりも光軸方向他方Ｚ２に位置する。すなわち残余の部分３０Ａは、光軸方向一方Ｚ１に進むにつれて先細状となる。これによって残余の部分３０Ａの光軸方向一方Ｚ１に面する表面および光軸方向他方Ｚ２に面する表面は、コリメートレンズの光軸Ｌ１０に垂直な仮想平面に対して角度を成す。
【０１１２】
絞り手段２７Ａを光軸方向Ｚに見たときの絞り手段２７Ａの外形は、円形である。絞り手段２７Ａの外径は、コリメートレンズ１２を光軸方向Ｚに見たときの外径よりも大きく、残余の部分３０Ａは基体２１Ａに接して配設される。以下、絞り手段２７Ａを光軸方向Ｚに見たときの、絞り手段２７Ａの外径を、「絞り手段外径」と称する。
【０１１３】
残余の部分３０Ａには、その光軸方向一方Ｚ１に面する表面部に凹部３９が複数形成され、この凹部３９に、基体２１Ａの凸部３８が嵌合する。第２実施形態においてこの凹部３９は２つ設けられるものとするけれども、他の実施形態において基体２１Ａの凸部３８および絞り手段２７Ａの凹部３９は、３つ以上でもよい。第２実施形態において、絞り手段２７Ａを光軸方向Ｚに見たときの絞り手段２７Ａの外形は、円形であるけれども、他の実施形態において絞り手段２７Ａの外形は、多角形であってもよい。
【０１１４】
基体２１Ａの光軸方向他方Ｚ２に面する部分のうち、コリメートレンズの光軸Ｌ１０を中心として絞り手段外径ｄ２に等しい直径の円形の範囲において、基体２１Ａの光軸方向他方Ｚ２の端部は、円錐形状の空間の一部を規定する形に形成される。基体２１Ａの光軸方向他方Ｚ２の端部が規定する円錐の形状は、コリメートレンズの光軸Ｌ１０上の仮想的な点を頂点とした円錐形状の一部であり、光軸方向他方Ｚ２に進むにつれて、円錐形状の空間の径は大きくなる。円錐形状の空間の１つの母線と、この母線から最も遠ざかった位置にある母線とが成す角は、９０°以上１８０°未満であることが好ましい。基体２１Ａの光軸方向他方Ｚ２の端部が規定する円錐の形状は、絞り手段２７Ａに光軸方向一方Ｚ１から接する仮想的な円錐の形状と一致する。
【０１１５】
基体２１Ａの２つの凸部３８は、基体２１Ａの光軸方向他方Ｚ２の端部の、コリメートレンズの光軸Ｌ１０を中心として絞り手段外径ｄ２に等しい直径の円形の範囲内に設けられ、二つの凸部３８を結ぶ仮想的な直線の中心点は、コリメートレンズの光軸Ｌ１０上に位置する。したがって、絞り手段２７Ａの残余の部分３０Ａに設けられる２つの凹部３９を結ぶ仮想的な直線の中心点は、コリメートレンズの光軸Ｌ１０上に位置する。
【０１１６】
光ピックアップ装置２０が組立てられたときに、対物レンズ３７は、光情報記録媒体１４に対してトラッキングするために、コリメートレンズ１２に対して変位する。トラッキングするときには、対物レンズ３７は光軸方向Ｚに垂直な方向に変位する。光ピックアップ装置２０が光情報記録媒体１４に対して情報の記録、再生、消去または書換えを行うときには、コリメートレンズ１２および受発光ユニット１１は、アクチュエータ４２によって変位駆動されるので、トラッキングするときの対物レンズ３７の変位は、予め定める範囲内での変位である。この予め定める範囲内で対物レンズ３７が変位するとき、光情報記録媒体１４から反射されて対物レンズ３７を透過した光線束も、コリメートレンズの光軸Ｌ１０からずれることになる。
【０１１７】
第２実施形態における通過領域２９は、対物レンズ３７および開口絞りがトラッキングのために変位したときにも、光情報記録媒体１４から反射されて対物レンズ３７および開口絞りを透過した光線束の全てが通過領域２９を通過できるような大きさに設定される。通過領域２９の大きさ、すなわち孔４１を規定する縁部の内径は、コリメートレンズ１２の外径よりも小さい。
【０１１８】
発光素子１５から発せられてコリメートレンズ１２を透過した光線束の一部は、光軸方向Ｚに平行に、光軸方向他方Ｚ２に進み、通過領域２９を通過する。発光素子１５から発せられたてコリメートレンズ１２を透過した光線束のうち、通過領域２９を通過する光線束の一部を除く他の一部の光は、絞り手段２７Ａの残余の部分３０Ａに入射する。残余の部分３０Ａに入射した光の一部は、残余の部分３０Ａに吸収され、残余の部分３０Ａに入射した光のうち、残余の部分３０Ａに吸収される一部の光を除く他の一部の光は、残余の部分３０Ａの表面で反射される。第２実施形態において絞り手段２７Ａの残余の部分３０Ａの形状は、いわゆるテーパの形状であり、残余の部分３０Ａのコリメートレンズ１２に臨む側の表面は、コリメートレンズの光軸Ｌ１０に垂直な仮想平面と角度を成す。
【０１１９】
これによって、発光素子１５から発せられてコリメートレンズ１２を透過した後、残余の部分３０Ａで反射された光の、反射後の光路の方向は、光軸方向Ｚと角度を成す。したがって、光情報記録媒体１４によって反射された光線束のうちの通過領域２９を通過する光の方向に対して、残余の部分３０Ａに入射して反射される光の進行方向が角度を成す。これによって、コリメートレンズ１２を透過して残余の部分３０Ａに入射した光が、受光素子１３に入射することを防ぐ。
【０１２０】
第２実施形態に係る受発光ユニット１１の位置調整方法の工程を表すフローチャートは、第１実施形態に係る受発光ユニット１１の位置調整方法の工程を表すフローチャートと同じである。第２実施形態において、本処理開始後、ステップａ１の基体保持工程からステップａ３のオートコリメータ配置工程までは、第１実施形態と同様である。ステップａ３のオートコリメータ配置工程の後、ステップａ４の反射体配置工程に移行し、反射体である半透過半反射ミラー１８と絞り手段２７Ａとの配置を行う。半透過半反射ミラー１８は、光軸方向Ｚに垂直に配置する。
【０１２１】
絞り手段２７Ａを配置するときには、絞り手段２７Ａに設けられた複数の凹部３９に、基体２１Ａの複数の凸部３８がそれぞれ嵌合するように、絞り手段２７Ａの取付けを行う。絞り手段２７Ａには通過領域２９として孔４１が形成されており、絞り手段２７Ａは孔４１を規定する縁部を有している。絞り手段２７Ａの凹部３９に基体２１Ａの凸部３８が嵌合するように絞り手段２７Ａを配置すると、絞り手段２７Ａは、縁部を通る仮想的な平面が光軸方向Ｚに垂直となるように、配置される。また孔４１の中心がコリメートレンズの光軸Ｌ１０上に位置するように配置される。
【０１２２】
次にステップａ５の受発光工程に移行する。ステップａ５の受発光工程と、ステップａ６の変位工程とは、第１実施形態と同様である。その後、本処理は終了する。本処理の後、コリメートレンズ１２に対する受発光ユニット１１の相対位置を固定した状態で、受発光ユニット１１と基体２１Ａとの間に接着剤２６を挿入し、接着剤２６の乾固を行う。次に位置調整装置１０の一部とコリメートレンズ１２、基体２１Ａおよび受発光ユニット１１とを分離する。第１実施形態では、絞り手段２７Ａおよび半透過半反射ミラー１８も、基体２１Ａから分離されたけれども、第２実施形態においては、半透過半反射ミラー１８を基体２１Ａから分離し、絞り手段２７Ａは基体２１Ａに取付けたまま、光ピックアップ装置２０の他の部品と基体２１Ａと受発光ユニット１１との組立てを行う。
【０１２３】
第２実施形態においては、基体２１Ａに複数の凸部３８が形成され、絞り手段２７Ａに複数の凹部３９が形成され、基体２１Ａの凸部３８のそれぞれが絞り手段２７Ａの凹部３９のそれぞれに嵌合するものとしたけれども、基体２１Ａと絞り手段２７Ａとに、互いに係合することによって機械的に位置決めすることを可能にする位置決め部分があれば、足りる。たとえば他の実施形態において基体２１Ａに複数の凹部３９が形成され、絞り手段２７Ａに複数の凸部３８が形成され、基体２１Ａの凹部３９に絞り手段２７Ａの凸部３８が嵌合する形状であってもよい。
【０１２４】
本発明の第２実施形態に係る受発光ユニット１１の位置調整方法では、ステップａ１の基体保持工程の後にステップａ２の受発光ユニット保持工程を行ったけれども、この２つの工程の順序は規定しない。たとえば、本処理開始後、ステップａ１として受発光ユニット保持工程を行い、次にステップａ２として基体保持工程を行ってもよい。
【０１２５】
本発明の第２実施形態に係る受発光ユニット１１の位置調整方法では、ステップａ３のオートコリメータ配置工程の後にステップａ４の反射体配置工程を行ったけれども、この２つの工程の順序は規定しない。たとえば、ステップａ２の受発光ユニット保持工程の後にステップａ３として反射体配置工程を行い、次にステップａ４としてオートコリメータ配置工程を行ってもよい。
【０１２６】
第２実施形態によれば、光ピックアップには開口絞り３６が含まれ、反射部材で反射されて開口絞り３６を通過する光線束の全ては、絞り手段２７Ａの通過領域２９がコリメートレンズ１２に対して相対的に占める空間を通過する。これによって、受発光ユニット１１とコリメートレンズ１２と開口絞り３６と対物レンズ３７とが組立てられ、発光素子１５からの発光と、この光の、反射部材による反射とが行われたときに、反射部材によって反射される光のうち、開口絞り３６を通過する光線束が、絞り手段２７Ａを通過する。対物レンズ３７および開口絞り３６がコリメートレンズの光軸Ｌ１０に対して垂直な方向に変位したとき、開口絞り３６を通過するべき光線束は全て、絞り手段２７Ａを通過する。
【０１２７】
また、コリメートレンズの光軸Ｌ１０に平行な仮想的な光線束のうち、反射部材で反射されて開口絞り３６を通過する光線束よりも外方を通る仮想的な光線束の全ては、絞り手段２７Ａの残余の部分３０Ａによって遮蔽される。これによって、反射部材によって反射される光のうち、開口絞り３６を通過することのない光は、絞り手段２７Ａの残余の部分３０Ａによって遮蔽される。したがって、絞り手段２７Ａは、反射部材によって反射される光に対して、開口絞り３６を通過するべき光線束に限定することができる。したがって、受光素子１３に入射する光を、受発光ユニット１１とコリメートレンズ１２と開口絞り３６と対物レンズ３７とが組立てられたときに、受光素子に入射するべき光線束に限定することができる。
【０１２８】
したがって組み立てられたときと同等の条件で、コリメートレンズ１２に対する受発光ユニット１１の相対位置を調整することができる。また絞り手段２７Ａを含めて、受発光ユニット１１とコリメートレンズ１２と開口絞り３６と対物レンズ３７とが組立てられたときに、反射部材によって反射される光のうち開口絞り３６を通過する光線束を遮蔽することがない。したがって、受発光ユニット１１の位置調整を行った後、絞り手段２７Ａを含んで、受発光ユニット１１とコリメートレンズ１２と開口絞り３６と対物レンズ３７とを組立てて、光ピックアップ装置２０を作製することができる。
【０１２９】
また本発明によれば、絞り手段２７Ａの残余の部分３０Ａのコリメートレンズ１２に臨む側の表面は、コリメートレンズの光軸Ｌ１０に垂直な仮想平面と角度を成す。発光素子１５から発せられてコリメートレンズ１２を透過した光のうち、絞り手段２７Ａの残余の部分３０Ａに入射する光線束の一部は、絞り手段２７Ａの残余の部分３０Ａによって反射され、絞り手段２７Ａの残余の部分３０Ａに入射する光線束の残余の光は絞り手段２７Ａの残余の部分３０Ａに吸収される。絞り手段２７Ａの残余の部分３０Ａで反射された光の、反射後の光路の方向は、入射するときの光路の方向とは異なることになる。
【０１３０】
これによって、反射部材によって反射された光線束のうちの通過領域２９を通過する光の方向に対して、残余の部分３０Ａの、コリメートレンズ１２に臨む側の表面に入射して反射される光の進行方向を、異ならせることができる。したがって残余の部分３０Ａの、コリメートレンズ１２に臨む側の表面に入射して反射される光が、受光素子１３に入射することを防ぐことができる。
【０１３１】
また本発明によれば、コリメートレンズ１２が固定される基体２１Ａは、絞り手段２７Ａを位置決めする位置決め部を有する。コリメートレンズ１２に対する受発光ユニット１１の位置を調整するときに、コリメートレンズ１２が固定される基体２１Ａに、絞り手段２７Ａを取付ける。絞り手段２７Ａを、基体２１Ａに設けられる位置決め部に合わせて取付けることによって、絞り手段２７Ａは、コリメートレンズ１２に対して位置決めして配置される。これによって、光軸方向Ｚに見たときの通過領域２９の中心を、コリメートレンズの光軸Ｌ１０上に位置させ、かつ絞り手段２７Ａの絞りとしての光軸を、コリメートレンズの光軸Ｌ１０に一致させることができる。
【０１３２】
具体的には、絞り手段２７Ａを配置するときに、基体２１Ａに設けられた凸部３８を、絞り手段２７Ａに形成された凹部３９に嵌合させることによって位置決めを行い、基体２１Ａに対して絞り手段２７Ａを取付ける。これによって、基体２１Ａに対する絞り手段２７Ａの位置を調整しながら絞り手段２７Ａを配置するときに比べて、簡単に、短時間で、かつ高い位置精度で絞り手段２７Ａを基体２１Ａに取付けることができる。またコリメートレンズ１２、基体２１Ａおよび受発光ユニット１１を他の部品とともに組立てて光ピックアップを製作するときに、絞り手段２７Ａも含めたまま組立てを行う。
【０１３３】
これによって、絞り手段２７Ａを取外す工程を省略することができる。絞り手段２７Ａの通過領域２９は、対物レンズ３７がトラッキングするときに光軸方向Ｚに垂直に変位し、光情報記録媒体１４で反射されて開口絞り３６を透過する光がコリメートレンズの光軸Ｌ１０に対して変位しても、光情報記録媒体１４で反射されて開口絞り３６を透過する光の全てが、通過領域２９を通過することができる。したがって絞り手段２７Ａを含めて光ピックアップを組立てても、光情報記録媒体１４で反射されて開口絞り３６を透過する光が、コリメートレンズ１２に入射するまでに絞り手段２７Ａによって遮蔽されることがない。
【０１３４】
第２実施形態においては、基体２１Ａに凸部３８を設け、テーパの形状をした絞り手段２７Ａに凹部３９を設け、凹部３９に対する凸部３８の嵌合によって、基体２１Ａに対する絞り手段２７Ａの相対位置を決定したけれども、凸部３８および凹部３９は、第１実施形態における基体２１および絞り手段２７に設けてもよい。平板状の絞り手段２７に凸部３８または凹部３９を設け、これに嵌合するような凹部３９または凸部３８を、光軸方向他方Ｚ２に平面状の端面を有する基体２１に設け、凸部３８と凹部３９との嵌合によって第１実施形態の基体２１と絞り手段２７との位置決めを行ってもよい。
【０１３５】
図９は、本発明の第３実施形態に係る受発光ユニット１１の位置調整装置１０の一部を切断して示す側面図である。本発明の第３実施形態に係る位置調整装置１０は、変位手段１６と、絞り手段２７と、反射体と、オートコリメータ２８と、制御手段１７Ｂと受光手段４３とを含んで構成される。位置調整の対象は、コリメートレンズ１２、基体２１、および受発光ユニット１１である。第３実施形態において、コリメートレンズ１２、基体２１および受発光ユニット１１は、第１実施形態におけるものと同一のものであるものとする。
【０１３６】
第３実施形態において、変位手段１６と、反射体と、オートコリメータ２８とは、第１実施形態に含まれるものと同様であるものとする。第３実施形態において絞り手段２７は、第１実施形態に含まれるものと同様であるけれども、絞り手段２７の残余の部分３０Ｂの、光軸方向一方Ｚ１の面には、複数の受光手段４３が取付けられる。複数の受光手段４３は残余の部分３０Ｂの表面上において、光軸方向Ｚに見て、コリメートレンズの光軸Ｌ１０を中心に回転対称に配設される。
【０１３７】
図１０は、本発明の第１実施形態に係る位置調整装置１０がコリメートレンズ１２に対する受発光ユニット１１の相対位置を調整するときの、電気的接続関係を表すブロック図である。各受光手段４３に光が入射すると、各受光手段４３は、入射した光の光強度に応じた電気信号を制御手段１７Ｂに出力する。制御手段１７Ｂは、複数の受光手段４３からの信号に基づいて変位手段１６を制御し、受発光ユニット１１のコリメートレンズ１２に対する相対位置を調整する。制御手段１７Ｂは受発光ユニット１１内の受光素子１３からの信号と、オートコリメータ２８からの信号と、受光手段４３からの信号とに基づいて変位手段１６を制御する。
【０１３８】
発光素子１５から発せられてコリメートレンズ１２を透過した光線束の一部は、絞り手段２７の通過領域２９を通過する。発光素子１５から発せられてコリメートレンズ１２を透過した光線束のうち、絞り手段２７の通過領域２９を通過した一部の光線束を除く光は、絞り手段２７の残余の部分３０Ｂに向けて進む。絞り手段２７の残余の部分３０Ｂの光軸方向一方Ｚ１に面する表面上には複数の受光手段４３があるので、絞り手段２７の残余の部分３０Ｂに向けて進んだ光は、複数の受光手段４３によって検出される。受光手段４３は検出した光の光強度に応じて電気信号を出力する。制御手段１７Ｂは、光軸方向Ｚに垂直な残余の部分３０Ｂの表面上において、コリメートレンズの光軸Ｌ１０に関して回転対称に並ぶ受光手段４３からの信号が、均等になるように、変位手段１６を制御する。
【０１３９】
これによって、発光素子１５から発せられた光のうち、光強度の最も大きい光線がコリメートレンズの光軸Ｌ１０に一致するように、受発光ユニット１１の位置を調整することができる。発光素子１５からの光の光強度は、光強度の最も大きい光線まわりに、回転対称に分布するので、複数の受光手段４３からの信号が等しくなるように受発光ユニット１１の位置を調整すれば、発光素子１５から発せられた光のうち、光強度の最も大きい光線は、コリメートレンズの光軸Ｌ１０に一致する。
【０１４０】
制御手段１７Ｂは受発光ユニット１１内の受光素子１３からの信号と、オートコリメータ２８からの信号と、受光手段４３からの信号とに基づいて変位手段１６を制御する。オートコリメータ２８からの信号に基づいて変位手段１６を制御することによって、発光素子１５から発せられてコリメートレンズ１２を透過した光を平行光にすることができる。残余の部分３０Ｂに配設された受光手段４３からの信号に基づいて変位手段１６を制御することによって、発光素子１５から発せられる光のうち、光強度の最も大きい光線が、コリメートレンズの光軸Ｌ１０に一致するように、受発光ユニット１１の位置を調整することができる。受発光ユニット１１内の受光素子１３から信号に基づいて変位手段１６を制御することによって、複数の受光素子１３に入射する光線束の、進行方向に垂直な断面における光強度の分布を、この断面の中心に関して回転対称となるように、受発光ユニット１１の位置を調整することができる。
【０１４１】
受光素子１３からの信号に基づく調整の後、オートコリメータ２８からの信号または受光手段４３からの信号が、理想的な状態からずれた場合には、再びオートコリメータ２８および受光手段４３からの信号に基づく位置調整を行い、その後受光素子１３からの信号に基づく調整を繰返す。仮に受光手段４３からの信号に基づく調整と受光素子１３からの信号に基づく調整とが、受発光ユニット１１の位置変位について同じ変位を繰返す場合には、受光手段４３からの信号に基づく調整結果の位置と受光素子１３からの信号に基づく調整結果の位置との中央の位置を最終位置として決定する。ただし他の実施形態においては、受光手段４３からの信号に基づく調整と受光素子１３からの信号に基づく調整とが、受発光ユニット１１の位置変位について同じ変位を繰返す場合には、受光素子１３からの信号に基づく調整結果を優先して受発光ユニット１１の位置を決定してもよい。またさらに他の実施形態においては、受光手段４３からの信号に基づく調整結果の位置と受光素子１３からの信号に基づく調整結果の位置との距離を１００％とし、受光手段４３からの信号に基づく調整結果の位置から０％以上１００％以下の範囲で、受光素子１３からの信号に基づく調整結果の位置まで移動した位置を、受発光ユニット１１の最終位置と決定してもよい。
【０１４２】
第１〜第３実施形態において受発光ユニット１１では、光情報記録媒体１４で反射された光が受光素子１３に向かって進むように、光の進行方向を変化させるために、ホログラム２２を用いたけれども、光情報記録媒体１４で反射された光が受光素子１３に向かって進むように、光の進行方向を変化させる手段は、ホログラム２２には限定しない。たとえば他の実施形態において光の進行方向は、ビームスプリッタによって変化させられて、受光素子１３に入射してもよい。
【０１４３】
第１〜第３実施形態において位置調整装置１０はオートコリメータ２８を有しているけれども、位置調整装置１０は、オートコリメータ２８を有していなくてもよい。たとえば他の実施形態において、絞り手段２７の残余の部分３０Ｂに受光手段４３が配置されていれば、発光素子１５からの光のうち、最も光強度の大きい光線が、コリメートレンズの光軸Ｌ１０を通るように受発光ユニット１１の位置を調整することができ、受光素子１３からの信号に基づいて受発光ユニット１１の位置を調整するので、光線束の最も光強度の大きい光線束が受光素子１３の中心に入射するように、受発光ユニット１１の位置を調整することができる。位置調整装置１０がオートコリメータ２８を有しない場合には、反射体は半透過半反射ミラー１８ではなく、入射する光のほとんど全てを反射するミラーであってもよい。
【０１４４】
第１〜第３実施形態において位置調整装置１０は、絞り手段２７を有しており、絞り手段２７を有することは好ましいことであるけれども、位置調整装置１０は、絞り手段２７を有していなくてもよい。オートコリメータ２８によって発光素子１５からの光がコリメートレンズ１２透過後に平行光となるように、受発光ユニット１１の位置を調整することができる。また受光素子１３からの信号に基づいて受発光ユニット１１の位置を調整するので、発光素子１５からの光のうち、最も光強度の大きい光線が中央に位置するような光線束を、受光素子１３に入射させることができる。
【０１４５】
第１〜第３実施形態において、位置調整装置１０で受発光ユニット１１の位置を調整するときに、受発光ユニット１１から発せられた光は、光の進行方向が曲げられることなくコリメートレンズ１２に入射し、コリメートレンズ１２を透過した後の光線束は、その進行方向が曲げられることなく半透過半反射ミラー１８に入射する。ただし他の実施形態において、受発光ユニット１１から発せられた光は、光の進行方向がミラーまたはビームスプリッタによって曲げられ、コリメートレンズ１２に入射してもよいし、コリメートレンズ１２を透過した後の光線束は、その進行方向がミラーまたはビームスプリッタによって曲げられて半透過半反射ミラーに入射してもよい。
【０１４６】
また第１〜第３実施形態において、位置調整装置１０で受発光ユニット１１の位置を調整後、組立てられた光ピックアップ装置２０内において、受発光ユニット１１から発せられた光は、光の進行方向が曲げられることなくコリメートレンズ１２に入射し、コリメートレンズ１２を透過した後の光線束は、その進行方向が曲げられることなく半透過半反射ミラー１８に入射する。ただし他の実施形態において、受発光ユニット１１から発せられた光は、光の進行方向がミラーまたはビームスプリッタによって曲げられ、コリメートレンズ１２に入射してもよいし、コリメートレンズ１２を透過した後の光線束は、その進行方向がミラーまたはビームスプリッタによって曲げられて半透過半反射ミラーに入射してもよい。
【０１４７】
受発光ユニット１１からコリメートレンズ１２までの光路が曲がっている場合には、コリメートレンズ１２を通るときに、コリメートレンズ１２の光軸を通る光線の進行方向を光軸方向Ｚとする。光路途中のいずれの場所を通過する光線であっても、その光線がコリメートレンズ１２を通るときに、コリメートレンズ１２の光軸をこの光軸に平行に通るならば、光路途中のそれぞれの場所において、その光線の進行方向を光軸方向とする。またそれぞれの場所において、光軸方向のうち、コリメートレンズ１２から受発光ユニット１１に近づく向きを光軸方向Ｚ１とし、その逆の向きを光軸方向他方Ｚ２とする。光ピックアップ装置２０に搭載する受発光ユニットが、複数ある場合には、それぞれの受発光ユニット１つずつに注目することによって、光軸方向Ｚ、光軸方向一方Ｚ１および光軸方向Ｚ２が決められる。
【図面の簡単な説明】
【０１４８】
【図１】本発明の第１実施形態に係る受発光ユニット１１の位置調整装置１０の一部を切断して示す側面図である。
【図２】本発明の実施形態の理想的状態において、複数の受光素子１３の受光面にホログラム２２から光が入射したときの、複数の受光素子１３の受光面の平面図である。
【図３】本発明の第１実施形態に係る位置調整装置１０がコリメートレンズ１２に対する受発光ユニット１１の相対位置を調整するときの、電気的接続関係を表すブロック図である。
【図４】本発明の他の実施形態において、変位手段１６、制御手段１７、半透過半反射ミラー１８およびオートコリメータ２８によって受発光ユニット１１のコリメートレンズ１２に対する相対位置を調整した光ピックアップ装置２０の一部を切断して示す側面図である。
【図５】本発明の第１実施形態において、理想的状態の光ピックアップ装置２０の一部を切断して示す側面図である。
【図６】第１実施形態に係る受発光ユニット１１の位置調整方法の工程を表すフローチャートである。
【図７】本発明の第１実施形態に係る受発光ユニット１１の位置調整方法によって位置決めされ、理想的状態となった受発光ユニット１１を含む光ピックアップ装置２０を、その一部を切断して示した側面図である。
【図８】本発明の第２実施形態に係る受発光ユニット１１の位置調整装置１０の一部を切断して示す側面図である。
【図９】本発明の第３実施形態に係る受発光ユニット１１の位置調整装置１０の一部を切断して示す側面図である。
【図１０】本発明の第１実施形態に係る位置調整装置１０がコリメートレンズ１２に対する受発光ユニット１１の相対位置を調整するときの、電気的接続関係を表すブロック図である。
【図１１】従来技術において、発光素子１と受光素子２とが一体となった部品の位置調整を、オートコリメータ３の出力信号に基づいて発光素子１の位置決めを行うときの、光ピックアップ装置内の部品の一部を切断して、オートコリメータ３とともに示す側面図である。
【符号の説明】
【０１４９】
１０  位置調整装置
１１  受発光ユニット
１２  コリメートレンズ
１３  受光素子
１４  光情報記録媒体
１５  発光素子
１６  変位手段
１７  制御手段
１８  半透過半反射ミラー
２０  光ピックアップ装置
２１  基体
２７  絞り手段
２８  オートコリメータ
２９  通過領域
３０  絞り手段の残余の部分
３１  反射面
３６  開口絞り
３７  対物レンズ
３８  凸部
３９  凹部
４３  受光手段
【図１】
2008176896.tif 000003
【図２】
2008176896.tif 000004
【図３】
2008176896.tif 000005
【図４】
2008176896.tif 000006
【図５】
2008176896.tif 000007
【図６】
2008176896.tif 000008
【図７】
2008176896.tif 000009
【図８】
2008176896.tif 000010
【図９】
2008176896.tif 000011
【図１０】
2008176896.tif 000012
【図１１】
2008176896.tif 000013